(57)【要約】  本発明は、制御情報を送信するための方法を提供する。本方法は、ネットワーク装置によって、制御チャネルに対応するリソースエレメントグループを決定する段階であって、リソースエレメントグループは、ダウンリンク制御情報を搬送するための第１のリソースエレメントと基準信号を搬送するための第２のリソースエレメントとを含み、基準信号はリソースエレメントグループによって搬送されるダウンリンク制御情報を復調するのに用いられる、段階と、ネットワーク装置によって、制御チャネルを用いてダウンリンク制御情報を送信する段階とを含む。前述の解決手段において、リソースエレメントグループを伝送するための制御チャネルが無線通信システムに提供され、ネットワーク装置がリソースエレメントグループに基づき制御チャネルを用いてダウンリンク制御情報を端末装置に送信してよい。リソースエレメントグループは、ダウンリンク制御情報とダウンリンク制御情報を復調するための基準信号とを搬送する。これにより、前方互換性をサポートするという可能性が与えられる。
2019525529.tif 000002
【特許請求の範囲】
【請求項１】
制御情報を送信するための方法であって、
ネットワーク装置によって、制御チャネルに対応するリソースエレメントグループを決定する段階であって、前記リソースエレメントグループは、ダウンリンク制御情報を搬送するための第１のリソースエレメントと基準信号を搬送するための第２のリソースエレメントとを含み、前記基準信号は、前記リソースエレメントグループによって搬送される前記ダウンリンク制御情報を復調するのに用いられる、段階と、
前記ネットワーク装置によって、前記制御チャネルを用いて前記ダウンリンク制御情報を送信する段階と
を備える、方法。
【請求項２】
前記リソースエレメントグループによって搬送される前記ダウンリンク制御情報は、前記リソースエレメントグループによって搬送される前記基準信号のみに基づいて復調される、請求項１に記載の方法。
【請求項３】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項１又は２に記載の方法。
【請求項４】
前記リソースエレメントグループに含まれる複数のリソースエレメントが、前記制御チャネルによって占有される時間領域リソースのシンボルの一部、又は前記制御チャネルによって占有される時間領域リソースの全てのシンボルに配分される、請求項１又は２に記載の方法。
【請求項５】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項１から４のいずれか一項に記載の方法。
【請求項６】
ネットワーク装置によって、制御チャネルに対応するリソースエレメントグループを決定する前記段階は、
前記ネットワーク装置によって、１つのリソースブロックに含まれるリソースエレメントグループの個数
【数９５】
2019525529.tif 000097
を決定する段階であって、前記リソースブロックは時間領域にｌ個のシンボルを含み、周波数領域に
【数９６】
2019525529.tif 000098
個のサブキャリアを含み、ｌは１より大きいか又はそれに等しい整数であり、
【数９７】
2019525529.tif 000099
は、１より大きいか又はそれに等しい整数であり、
【数９８】
2019525529.tif 000100
は、１より大きいか又はそれに等しい整数である、段階と、
前記リソースエレメントグループを
【数９９】
2019525529.tif 000101
に基づいて決定する段階と
を有する、請求項１から５のいずれか一項に記載の方法。
【請求項７】
前記ネットワーク装置によって、１つのリソースブロックに含まれるリソースエレメントグループの個数
【数１００】
2019525529.tif 000102
を決定する前記段階は、
前記ネットワーク装置によって、１つのアンテナポートに対応するリソースエレメントの個数に基づいて、
【数１０１】
2019525529.tif 000103
を決定する段階を有し、前記アンテナポートは、前記基準信号に対応する少なくとも１つのアンテナポートのうちの１つであり、前記アンテナポートに対応する前記リソースエレメントは１つのシンボル内にあり、前記１つのシンボルは、前記リソースブロック内にあり且つ前記基準信号を搬送する複数のシンボルのうちの１つである、請求項６に記載の方法。
【請求項８】
前記リソースエレメントグループを
【数１０２】
2019525529.tif 000104
に基づいて決定する前記段階は、
前記リソースエレメントグループに含まれるリソースエレメントの個数を
【数１０３】
2019525529.tif 000105
に基づいて決定する段階を有し、前記リソースエレメントグループに含まれる前記リソースエレメントの個数は
【数１０４】
2019525529.tif 000106
に等しい、請求項６又は７に記載の方法。
【請求項９】
前記リソースエレメントグループに含まれる第１のリソースエレメントの個数が
【数１０５】
2019525529.tif 000107
であり、ここで、
【数１０６】
2019525529.tif 000108
であり、また、
【数１０７】
2019525529.tif 000109
は、前記基準信号に対応するアンテナポートの個数である、請求項８に記載の方法。
【請求項１０】
前記制御チャネルは１つのシンボルを占有し、１つの制御チャネルエレメントに含まれるリソースエレメントグループの個数が
【数１０８】
2019525529.tif 000110
であるか、又は、
前記制御チャネルはｌ個のシンボルを占有し、１つの制御チャネルエレメントに含まれるリソースエレメントグループの個数が
【数１０９】
2019525529.tif 000111
である、請求項９に記載の方法。
【請求項１１】
前記基準信号は、前記リソースエレメントグループによって搬送される前記ダウンリンク制御情報を復調するのに用いられ、及び／又は、前記リソースエレメントグループ以外の別のリソースエレメントグループによって搬送されるダウンリンク制御情報を復調するのに用いられ、前記別のリソースエレメントグループは前記制御チャネルに対応している、請求項１に記載の方法。
【請求項１２】
前記第２のリソースエレメントは、前記リソースエレメントグループによって占有される時間領域リソースの１つのシンボル内にある、請求項１から１１のいずれか一項に記載の方法。
【請求項１３】
前記１つのシンボルは、前記リソースエレメントグループによって占有される前記時間領域リソース内の前記第１のシンボルである、請求項１２に記載の方法。
【請求項１４】
前記ネットワーク装置によってシステム情報を送信する段階を備え、前記システム情報は、前記基準信号に対応するアンテナポートに関する情報又は前記基準信号の密度情報を含む、請求項１から１３のいずれか一項に記載の方法。
【請求項１５】
前記ネットワーク装置によって第１のシグナリングを送信する段階を備え、
前記第１のシグナリングは、前記リソースエレメントグループによって搬送される前記基準信号のみに基づいて、前記リソースエレメントグループによって搬送される前記ダウンリンク制御情報を復調するよう端末装置に命令するのに用いられるか、又は、
前記第１のシグナリングは、前記リソースエレメントグループによって搬送される前記基準信号と前記リソースエレメントグループ以外の前記別のリソースエレメントグループによって搬送される基準信号とに基づいて、前記リソースエレメントグループによって搬送される前記ダウンリンク制御情報を復調するよう端末装置に命令するのに用いられ、前記別のリソースエレメントグループは前記制御チャネルに対応している、請求項１から１４のいずれか一項に記載の方法。
【請求項１６】
制御情報を受信するための方法であって、
端末装置によって、制御チャネルに対応するリソースエレメントグループを決定する段階であって、前記リソースエレメントグループは、ダウンリンク制御情報を搬送するための第１のリソースエレメントと基準信号を搬送するための第２のリソースエレメントとを含み、前記端末装置は、前記基準信号に基づいて、前記リソースエレメントグループによって搬送される前記ダウンリンク制御情報を復調する、段階と、
前記端末装置によって前記ダウンリンク制御情報を前記制御チャネルで受信する段階と
を備える、方法。
【請求項１７】
前記端末装置は、前記リソースエレメントグループによって搬送される前記基準信号のみに基づいて、前記リソースエレメントグループによって搬送される前記ダウンリンク制御情報を復調する、請求項１６に記載の方法。
【請求項１８】
前記端末装置によって第１のシグナリングを受信して、前記リソースエレメントグループによって搬送される前記ダウンリンク制御情報を前記第１のシグナリングに基づいて復調する段階を備える、請求項１６又は１７に記載の方法。
【請求項１９】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項１６から１８のいずれか一項に記載の方法。
【請求項２０】
前記リソースエレメントグループに含まれる複数のリソースエレメントが、前記制御チャネルによって占有される時間領域リソースのシンボルの一部、又は前記制御チャネルによって占有される時間領域リソースの全てのシンボルに配分される、請求項１６から１９のいずれか一項に記載の方法。
【請求項２１】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項１６から２０のいずれか一項に記載の方法。
【請求項２２】
端末装置によって、制御チャネルに対応するリソースエレメントグループを決定する前記段階は、
前記端末装置によって、１つのリソースブロックに含まれるリソースエレメントグループの個数
【数１１０】
2019525529.tif 000112
を決定する段階であって、前記リソースブロックは時間領域にｌ個のシンボルを含み、周波数領域に
【数１１１】
2019525529.tif 000113
個のサブキャリアを含み、ｌは１より大きいか又はそれに等しい整数であり、
【数１１２】
2019525529.tif 000114
は、１より大きいか又はそれに等しい整数であり、
【数１１３】
2019525529.tif 000115
は、１より大きいか又はそれに等しい整数である、段階と、
前記リソースエレメントグループを
【数１１４】
2019525529.tif 000116
に基づいて決定する段階と
を有する、請求項１６から２１のいずれか一項に記載の方法。
【請求項２３】
前記端末装置によって、１つのリソースブロックに含まれるリソースエレメントグループの個数
【数１１５】
2019525529.tif 000117
を決定する前記段階は、
前記端末装置によって、１つのアンテナポートに対応するリソースエレメントの個数に基づいて、
【数１１６】
2019525529.tif 000118
を決定する段階を有し、前記アンテナポートは、前記基準信号に対応する少なくとも１つのアンテナポートのうちの１つであり、前記アンテナポートに対応する前記リソースエレメントは１つのシンボル内にあり、前記１つのシンボルは、前記リソースブロック内にあり且つ前記基準信号を搬送する複数のシンボルのうちの１つである、請求項２２に記載の方法。
【請求項２４】
前記リソースエレメントグループを
【数１１７】
2019525529.tif 000119
に基づいて決定する前記段階は、
前記リソースエレメントグループに含まれるリソースエレメントの個数を
【数１１８】
2019525529.tif 000120
に基づいて決定する段階を有し、前記リソースエレメントグループに含まれる前記リソースエレメントの個数は
【数１１９】
2019525529.tif 000121
に等しい、請求項２２又は２３に記載の方法。
【請求項２５】
前記リソースエレメントグループに含まれる第１のリソースエレメントの個数が
【数１２０】
2019525529.tif 000122
であり、ここで、
【数１２１】
2019525529.tif 000123
であり、また、
【数１２２】
2019525529.tif 000124
は、前記基準信号に対応するアンテナポートの個数である、請求項２４に記載の方法。
【請求項２６】
前記制御チャネルは１つのシンボルを占有し、１つの制御チャネルエレメントに含まれるリソースエレメントグループの個数が
【数１２３】
2019525529.tif 000125
であるか、又は、
前記制御チャネルはｌ個のシンボルを占有し、１つの制御チャネルエレメントに含まれるリソースエレメントグループの個数が
【数１２４】
2019525529.tif 000126
である、請求項２５に記載の方法。
【請求項２７】
前記リソースエレメントグループ以外の前記別のリソースエレメントグループによって搬送される基準信号に基づいて、前記リソースエレメントグループによって搬送される前記ダウンリンク制御情報を前記端末装置によって復調する段階を備え、前記別のリソースエレメントグループは前記制御チャネルに対応している、請求項１６に記載の方法。
【請求項２８】
前記第２のリソースエレメントは、前記リソースエレメントグループによって占有される時間領域リソースの１つのシンボル内にある、請求項１６から２７のいずれか一項に記載の方法。
【請求項２９】
前記１つのシンボルは、前記リソースエレメントグループによって占有される前記時間領域リソース内の前記第１のシンボルである、請求項２８に記載の方法。
【請求項３０】
前記端末装置によってシステム情報を受信する段階を備え、前記システム情報は、前記基準信号に対応するアンテナポートに関する情報又は前記基準信号の密度情報を含む、請求項１６から２９のいずれか一項に記載の方法。
【請求項３１】
制御チャネルに対応するリソースエレメントグループを決定するように構成された処理ユニットであって、前記リソースエレメントグループは、ダウンリンク制御情報を搬送するための第１のリソースエレメントと基準信号を搬送するための第２のリソースエレメントとを含み、前記基準信号は、前記リソースエレメントグループによって搬送される前記ダウンリンク制御情報を復調するのに用いられる、処理ユニットと、
前記制御チャネルを用いて前記ダウンリンク制御情報を送信するように構成された送信ユニットと
を備える、ネットワーク装置。
【請求項３２】
前記リソースエレメントグループによって搬送される前記ダウンリンク制御情報は、前記リソースエレメントグループによって搬送される前記基準信号のみに基づいて復調される、請求項３１に記載のネットワーク装置。
【請求項３３】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項３１又は３２に記載のネットワーク装置。
【請求項３４】
前記リソースエレメントグループに含まれる複数のリソースエレメントが、前記制御チャネルによって占有される時間領域リソースのシンボルの一部、又は前記制御チャネルによって占有される時間領域リソースの全てのシンボルに配分される、請求項３１から３３のいずれか一項に記載のネットワーク装置。
【請求項３５】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項３１から３４のいずれか一項に記載のネットワーク装置。
【請求項３６】
前記処理ユニットは、
１つのリソースブロックに含まれるリソースエレメントグループの個数
【数１２５】
2019525529.tif 000127
を決定することであって、前記リソースブロックは時間領域にｌ個のシンボルを含み、周波数領域に
【数１２６】
2019525529.tif 000128
個のサブキャリアを含み、ｌは１より大きいか又はそれに等しい整数であり、
【数１２７】
2019525529.tif 000129
は、１より大きいか又はそれに等しい整数であり、
【数１２８】
2019525529.tif 000130
は、１より大きいか又はそれに等しい整数である、決定することと、
前記リソースエレメントグループを
【数１２９】
2019525529.tif 000131
に基づいて決定することと
を行うように構成される、請求項３１から３５のいずれか一項に記載のネットワーク装置。
【請求項３７】
前記処理ユニットは、１つのアンテナポートに対応するリソースエレメントの個数に基づいて、
【数１３０】
2019525529.tif 000132
を決定するように構成され、前記アンテナポートは、前記基準信号に対応する少なくとも１つのアンテナポートのうちの１つであり、前記アンテナポートに対応する前記リソースエレメントは１つのシンボル内にあり、前記１つのシンボルは、前記リソースブロック内にあり且つ前記基準信号を搬送する複数のシンボルのうちの１つである、請求項３６に記載のネットワーク装置。
【請求項３８】
前記処理ユニットは、
【数１３１】
2019525529.tif 000133
に基づいて、前記リソースエレメントグループに含まれるリソースエレメントの個数を決定するように構成され、前記リソースエレメントグループに含まれる前記リソースエレメントの個数は、
【数１３２】
2019525529.tif 000134
に等しい、請求項３６又は３７に記載のネットワーク装置。
【請求項３９】
前記リソースエレメントグループに含まれる第１のリソースエレメントの個数が
【数１３３】
2019525529.tif 000135
であり、ここで、
【数１３４】
2019525529.tif 000136
であり、また、
【数１３５】
2019525529.tif 000137
は、前記基準信号に対応するアンテナポートの個数である、請求項３８に記載のネットワーク装置。
【請求項４０】
前記制御チャネルは１つのシンボルを占有し、１つの制御チャネルエレメントに含まれるリソースエレメントグループの個数が
【数１３６】
2019525529.tif 000138
であるか、又は、
前記制御チャネルはｌ個のシンボルを占有し、１つの制御チャネルエレメントに含まれるリソースエレメントグループの個数が
【数１３７】
2019525529.tif 000139
である、請求項３９に記載のネットワーク装置。
【請求項４１】
前記基準信号は、前記リソースエレメントグループによって搬送される前記ダウンリンク制御情報を復調するのに用いられ、及び／又は、前記リソースエレメントグループ以外の別のリソースエレメントグループによって搬送されるダウンリンク制御情報を復調するのに用いられ、前記別のリソースエレメントグループは前記制御チャネルに対応している、請求項３１に記載のネットワーク装置。
【請求項４２】
前記第２のリソースエレメントは、前記リソースエレメントグループによって占有される時間領域リソースの１つのシンボル内にある、請求項３１から４１のいずれか一項に記載のネットワーク装置。
【請求項４３】
前記１つのシンボルは、前記リソースエレメントグループによって占有される前記時間領域リソース内の前記第１のシンボルである、請求項４２に記載のネットワーク装置。
【請求項４４】
前記送信ユニットはさらに、システム情報を送信するように構成され、前記システム情報は、前記基準信号に対応するアンテナポートに関する情報又は前記基準信号の密度情報を含む、請求項３１から４３のいずれか一項に記載のネットワーク装置。
【請求項４５】
前記送信ユニットはさらに、第１のシグナリングを送信するように構成され、
前記第１のシグナリングは、前記リソースエレメントグループによって搬送される前記基準信号のみに基づいて、前記リソースエレメントグループによって搬送される前記ダウンリンク制御情報を復調するよう端末装置に命令するのに用いられるか、又は、
前記第１のシグナリングは、前記リソースエレメントグループによって搬送される前記基準信号と前記リソースエレメントグループ以外の前記別のリソースエレメントグループによって搬送される基準信号とに基づいて、前記リソースエレメントグループによって搬送される前記ダウンリンク制御情報を復調するよう端末装置に命令するのに用いられ、前記別のリソースエレメントグループは前記制御チャネルに対応している、請求項３１から４４のいずれか一項に記載のネットワーク装置。
【請求項４６】
制御チャネルに対応するリソースエレメントグループを決定するように構成された処理ユニットであって、前記リソースエレメントグループは、ダウンリンク制御情報を搬送するための第１のリソースエレメントと基準信号を搬送するための第２のリソースエレメントとを含み、前記リソースエレメントグループによって搬送される前記ダウンリンク制御情報は、前記基準信号に基づいて復調される、処理ユニットと、
前記ダウンリンク制御情報を前記制御チャネルで受信するように構成された受信ユニットと
を備える、端末装置。
【請求項４７】
前記処理ユニットは、前記リソースエレメントグループによって搬送される前記基準信号のみに基づいて、前記リソースエレメントグループによって搬送される前記ダウンリンク制御情報を復調する、請求項４６に記載の端末装置。
【請求項４８】
前記受信ユニットは、第１のシグナリングを受信するように構成され、
前記処理ユニットは、前記第１のシグナリングに基づいて、前記リソースエレメントグループによって搬送される前記ダウンリンク制御情報を復調する、
請求項４６又は４７に記載の端末装置。
【請求項４９】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項４６から４８のいずれか一項に記載の端末装置。
【請求項５０】
前記リソースエレメントグループに含まれる複数のリソースエレメントが、前記制御チャネルによって占有される時間領域リソースのシンボルの一部、又は前記制御チャネルによって占有される時間領域リソースの全てのシンボルに配分される、請求項４６から４９のいずれか一項に記載の端末装置。
【請求項５１】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項４６から５０のいずれか一項に記載の端末装置。
【請求項５２】
前記処理ユニットは、
１つのリソースブロックに含まれるリソースエレメントグループの個数
【数１３８】
2019525529.tif 000140
を決定することであって、前記リソースブロックは時間領域にｌ個のシンボルを含み、周波数領域に
【数１３９】
2019525529.tif 000141
個のサブキャリアを含み、ｌは１より大きいか又はそれに等しい整数であり、
【数１４０】
2019525529.tif 000142
は、１より大きいか又はそれに等しい整数であり、
【数１４１】
2019525529.tif 000143
は、１より大きいか又はそれに等しい整数である、決定することと、
前記リソースエレメントグループを
【数１４２】
2019525529.tif 000144
に基づいて決定することと
を行うように構成される、請求項４６から５１のいずれか一項に記載の端末装置。
【請求項５３】
前記処理ユニットは、１つのアンテナポートに対応するリソースエレメントの個数に基づいて、
【数１４３】
2019525529.tif 000145
を決定するように構成され、前記アンテナポートは、前記基準信号に対応する少なくとも１つのアンテナポートのうちの１つであり、前記アンテナポートに対応する前記リソースエレメントは１つのシンボル内にあり、前記１つのシンボルは、前記リソースブロック内にあり且つ前記基準信号を搬送する複数のシンボルのうちの１つである、請求項５２に記載の端末装置。
【請求項５４】
前記処理ユニットは、
【数１４４】
2019525529.tif 000146
に基づいて、前記リソースエレメントグループに含まれるリソースエレメントの個数を決定するように構成され、前記リソースエレメントグループに含まれる前記リソースエレメントの個数は、
【数１４５】
2019525529.tif 000147
に等しい、請求項５２又は５３に記載の端末装置。
【請求項５５】
前記リソースエレメントグループに含まれる第１のリソースエレメントの個数が
【数１４６】
2019525529.tif 000148
であり、ここで、
【数１４７】
2019525529.tif 000149
であり、また、
【数１４８】
2019525529.tif 000150
は、前記基準信号に対応するアンテナポートの個数である、請求項５４に記載の端末装置。
【請求項５６】
前記制御チャネルは１つのシンボルを占有し、１つの制御チャネルエレメントに含まれるリソースエレメントグループの個数が
【数１４９】
2019525529.tif 000151
であるか、又は、
前記制御チャネルはｌ個のシンボルを占有し、１つの制御チャネルエレメントに含まれるリソースエレメントグループの個数が
【数１５０】
2019525529.tif 000152
である、請求項５５に記載の端末装置。
【請求項５７】
前記処理ユニットは、前記リソースエレメントグループ以外の前記別のリソースエレメントグループによって搬送される基準信号に基づいて、前記リソースエレメントグループによって搬送される前記ダウンリンク制御情報を復調し、前記別のリソースエレメントグループは、前記制御チャネルに対応している、請求項４６に記載の端末装置。
【請求項５８】
前記第２のリソースエレメントは、前記リソースエレメントグループによって占有される時間領域リソースの１つのシンボル内にある、請求項４６から５７のいずれか一項に記載の端末装置。
【請求項５９】
前記１つのシンボルは、前記リソースエレメントグループによって占有される前記時間領域リソース内の前記第１のシンボルである、請求項５８に記載の端末装置。
【請求項６０】
前記受信ユニットはさらに、システム情報を受信するように構成され、前記システム情報は、前記基準信号に対応するアンテナポートに関する情報又は前記基準信号の密度情報を含む、請求項４６から５９のいずれか一項に記載の端末装置。
【請求項６１】
プロセッサとメモリとを備える装置であって、
前記メモリはコンピュータ命令を格納し、前記プロセッサは前記メモリに格納された前記コンピュータ命令を実行して、前記装置が請求項１から３０のいずれか一項に記載の方法を実施することを可能にする、装置。
【請求項６２】
コンピュータ記憶媒体であって、コンピュータプログラムが前記コンピュータ記憶媒体に格納され、前記プログラムがプロセッサによって実行された場合、請求項１から３０のいずれか一項に記載の方法が実施される、コンピュータ記憶媒体。
【請求項６３】
命令を含むコンピュータプログラム製品であって、前記コンピュータプログラム製品がコンピュータで実行された場合、前記コンピュータは請求項１から３０のいずれか一項に記載の方法を実行する、コンピュータプログラム製品。
【発明の詳細な説明】
【技術分野】
【０００１】
本出願は、２０１６年６月２５日に中国特許庁に出願された「制御情報を送信するための方法、制御情報を受信するための方法、ネットワーク装置、及び端末装置（ＭＥＴＨＯＤ  ＦＯＲ  ＳＥＮＤＩＮＧ  ＣＯＮＴＲＯＬ  ＩＮＦＯＲＭＡＴＩＯＮ，  ＭＥＴＨＯＤ  ＦＯＲ  ＲＥＣＥＩＶＩＮＧ  ＣＯＮＴＲＯＬ  ＩＮＦＯＲＭＡＴＩＯＮ，  ＮＥＴＷＯＲＫ  ＤＥＶＩＣＥ，  ＡＮＤ  ＴＥＲＭＩＮＡＬ  ＤＥＶＩＣＥ）」と題する中国特許出願第２０１６１０４７３９３７．Ｘ号に基づく優先権を主張し、当該中国特許出願はその全体が参照により本明細書に組み込まれる。
【０００２】
本発明は無線通信分野に関し、詳細には、制御情報を送信するための技術、制御情報を受信するための技術、並びに対応するネットワーク装置及び端末装置に関する。
【背景技術】
【０００３】
通信システムの開発は、様々な異なるサービス、異なる展開シナリオ、及び異なるスペクトルをサポートするために、より高いシステム性能をサポートすることに向けられてきた。異なるサービスには、高速大容量モバイルブロードバンド（ｅｎｈａｎｃｅｄ  Ｍｏｂｉｌｅ  Ｂｒｏａｄｂａｎｄ、略してｅＭＢＢ）、マシンタイプ通信（Ｍａｃｈｉｎｅ  Ｔｙｐｅ  Ｃｏｍｍｕｎｉｃａｔｉｏｎ、略してＭＴＣ）、超高信頼性低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ、略してＵＲＬＬＣ）、マルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）、測位などが含まれる。異なる展開シナリオには、屋内ホットスポット（Ｉｎｄｏｏｒ  ｈｏｔｓｐｏｔ）シナリオ、密集した都会（ｄｅｎｓｅ  ｕｒｂａｎ）のシナリオ、郊外のシナリオ、都市部（Ｕｒｂａｎ  Ｍａｃｒｏ）のシナリオ、高速鉄道のシナリオなどが含まれる。
【０００４】
新無線（Ｎｅｗ  Ｒａｄｉｏ、略してＮＲ）システムなどの将来の通信システムが、より高い周波数スペクトル範囲を含むより広い周波数範囲のサポートに当てられる。さらに、新しいＮＲシステムは、将来の未知の特徴の導入に柔軟に対処できることも必要であり、将来の未知の特徴の導入によって、既存の通信システム設計のみをサポートする端末装置が機能しなくなることがあってはならない。ＮＲ通信システムは新しいシステム設計を必要とする。ＮＲ通信システムにおいて制御チャネルをどのように設計するかが、現在緊急に解決されなければならない技術的課題である。
【発明の概要】
【０００５】
本発明の実施形態が、制御チャネルの互換性を改善するために、制御情報を送信するための方法、制御情報を受信するための方法、ネットワーク装置、及び端末装置を提供する。
【０００６】
第１の態様によれば、制御情報を送信するための方法が提供され、本方法は、制御チャネルに対応するリソースエレメントグループをネットワーク装置によって決定する段階であって、リソースエレメントグループは、ダウンリンク制御情報を搬送するための第１のリソースエレメントと基準信号を搬送するための第２のリソースエレメントとを含み、基準信号はリソースエレメントグループによって搬送されるダウンリンク制御情報を復調するのに用いられる、段階と、ネットワーク装置によって、制御チャネルを用いてダウンリンク制御情報を送信する段階とを含む。
【０００７】
任意選択で、リソースエレメントグループによって搬送されるダウンリンク制御情報は、リソースエレメントグループによって搬送される基準信号のみに基づいて復調される。したがって、将来の未知のサービスを送信するのに、別のリソースエレメントグループに対応する時間−周波数リソースを柔軟に用いることができ、その結果、将来の新しい特徴をサポートし、且つ現在の端末装置と互換性を保つことが可能になる。これにより、前方互換性がより十分にサポートされる。
【０００８】
任意選択で、リソースエレメントグループに含まれるリソースエレメントの個数が、リソースエレメントグループによって占有されるシンボルの個数に正比例するか、又は、リソースエレメントグループに含まれるリソースエレメントの個数が、制御チャネルによって占有されるシンボルの個数に正比例する。
【０００９】
任意選択で、第２のリソースエレメントは、リソースエレメントグループによって占有される時間領域リソースの１つのシンボル内、例えば、リソースエレメントグループによって占有される時間領域リソースの第１のシンボル内、制御チャネルによって占有される時間領域リソースの第１のシンボル内、又は制御チャネルを搬送するサブフレームの第１のシンボル内にある。
【００１０】
任意選択で、リソースエレメントグループに含まれる複数のリソースエレメントが、制御チャネルによって占有される時間領域リソースの全てのシンボルに配分される。
【００１１】
任意選択で、リソースエレメントグループによって占有される周波数領域リソースが、リソースエレメントグループによって占有される全てのシンボルにおいて同じであるか、又は、リソースエレメントグループによって占有される周波数領域リソースが、制御チャネルによって占有される全てのシンボルにおいて同じである。リソースエレメントグループによって占有される複数のリソースエレメントが、リソースエレメントグループによって占有される各シンボルにおいて連続しているか、又は、リソースエレメントグループによって占有される複数のリソースエレメントが、制御チャネルによって占有される各シンボルにおいて連続している。
【００１２】
任意選択で、ネットワーク装置は、１つのリソースブロックに含まれるリソースエレメントグループの個数
【数１】
2019525529.tif 000003
を決定する。リソースブロックは、時間領域にｌ個のシンボルを含み、周波数領域に
【数２】
2019525529.tif 000004
個のサブキャリアを含む。ｌは１より大きいか又はそれに等しい整数であり、
【数３】
2019525529.tif 000005
は、１より大きいか又はそれに等しい整数であり、
【数４】
2019525529.tif 000006
は、１より大きいか又はそれに等しい整数である。また、ネットワーク装置は、
【数５】
2019525529.tif 000007
に基づいてリソースエレメントグループを決定する。具体的には、制御チャネルは時間領域でｌ個のシンボルを占有してよい。
【数６】
2019525529.tif 000008
は、１２又は１６に等しいことが好ましい。
【００１３】
任意選択で、ネットワーク装置は、１つのアンテナポートに対応するリソースエレメントの個数に基づいて、
【数７】
2019525529.tif 000009
を決定する。アンテナポートは、基準信号に対応する少なくとも１つのアンテナポートのうちの１つである。そのアンテナポートに対応するリソースエレメントは１つのシンボル内にあり、その１つのシンボルは、リソースブロック内にあり且つ基準信号を搬送する複数のシンボルのうちの１つである。
【００１４】
任意選択で、ネットワーク装置は、１つのアンテナポートに対応するリソースエレメントの個数に基づいて、
【数８】
2019525529.tif 000010
を決定する。アンテナポートは、基準信号に対応する少なくとも１つのアンテナポートのうちの１つである。そのアンテナポートに対応するリソースエレメントは１つのシンボル内にあり、そのシンボルは、基準信号を搬送するリソースブロック内の複数のシンボルのうちの１つである。具体的には、ネットワーク装置は、リソースエレメントグループに含まれるリソースエレメントの個数を
【数９】
2019525529.tif 000011
に基づいて決定する。リソースエレメントグループに含まれるリソースエレメントの個数は、
【数１０】
2019525529.tif 000012
に等しい。リソースエレメントグループに含まれる第１のリソースエレメントの個数が
【数１１】
2019525529.tif 000013
であり、ここで、
【数１２】
2019525529.tif 000014
であり、また、
【数１３】
2019525529.tif 000015
は、基準信号に対応するアンテナポートの個数である。制御チャネルが１つのシンボルを占有する場合、１つの制御チャネルエレメントに含まれるリソースエレメントグループの個数が
【数１４】
2019525529.tif 000016
である。あるいは、制御チャネルがｌ個のシンボルを占有する場合、１つの制御チャネルエレメントに含まれるリソースエレメントグループの個数が
【数１５】
2019525529.tif 000017
である。
【００１５】
任意選択で、ネットワーク装置は、制御チャネルを用いてサブフレームｎでダウンリンク制御情報を送信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【００１６】
任意選択で、ネットワーク装置はシステム情報を送信する。システム情報は、基準信号に対応するアンテナポートに関する情報を含む。基準信号に対応するアンテナポートの個数は２に等しいことが好ましい。
【００１７】
第２の態様によれば、制御情報を受信するための方法が提供される。本方法は、制御チャネルに対応するリソースエレメントグループを端末装置によって決定する段階であって、リソースエレメントグループは、ダウンリンク制御情報を搬送するための第１のリソースエレメントと基準信号を搬送するための第２のリソースエレメントとを含み、端末装置は、基準信号に基づいて、リソースエレメントグループによって搬送されるダウンリンク制御情報を復調する、段階と、端末装置によってダウンリンク制御情報を制御チャネルで受信する段階とを含む。
【００１８】
任意選択で、端末装置は、リソースエレメントグループによって搬送される基準信号のみに基づいて、リソースエレメントグループによって搬送されるダウンリンク制御情報を復調する。
【００１９】
任意選択で、リソースエレメントグループに含まれるリソースエレメントの個数が、リソースエレメントグループによって占有されるシンボルの個数に正比例するか、又は、リソースエレメントグループに含まれるリソースエレメントの個数が、制御チャネルによって占有されるシンボルの個数に正比例する。
【００２０】
任意選択で、第２のリソースエレメントは、リソースエレメントグループによって占有される時間領域リソースの１つのシンボル内、例えば、リソースエレメントグループによって占有される時間領域リソースの第１のシンボル内、制御チャネルによって占有される時間領域リソースの第１のシンボル内、又は制御チャネルを搬送するサブフレームの第１のシンボル内にある。
【００２１】
任意選択で、リソースエレメントグループに含まれる複数のリソースエレメントが、制御チャネルによって占有される時間領域リソースの全てのシンボルに配分される。
【００２２】
任意選択で、リソースエレメントグループによって占有される周波数領域リソースが、リソースエレメントグループによって占有される全てのシンボルにおいて同じであるか、又は、リソースエレメントグループによって占有される周波数領域リソースが、制御チャネルによって占有される全てのシンボルにおいて同じである。リソースエレメントグループによって占有される複数のリソースエレメントが、リソースエレメントグループによって占有される各シンボルにおいて連続しているか、又は、リソースエレメントグループによって占有される複数のリソースエレメントが、制御チャネルによって占有される各シンボルにおいて連続している。
【００２３】
任意選択で、端末装置は、１つのリソースブロックに含まれるリソースエレメントグループの個数
【数１６】
2019525529.tif 000018
を決定する。リソースブロックは、時間領域にｌ個のシンボルを含み、周波数領域に
【数１７】
2019525529.tif 000019
個のサブキャリアを含む。ｌは１より大きいか又はそれに等しい整数であり、
【数１８】
2019525529.tif 000020
は、１より大きいか又はそれに等しい整数であり、
【数１９】
2019525529.tif 000021
は、１より大きいか又はそれに等しい整数である。また、端末装置は、
【数２０】
2019525529.tif 000022
に基づいてリソースエレメントグループを決定する。具体的には、制御チャネルは時間領域でｌ個のシンボルを占有してよい。
【数２１】
2019525529.tif 000023
は、１２又は１６に等しいことが好ましい。
【００２４】
任意選択で、端末装置は、１つのアンテナポートに対応するリソースエレメントの個数に基づいて、
【数２２】
2019525529.tif 000024
を決定する。アンテナポートは、基準信号に対応する少なくとも１つのアンテナポートのうちの１つである。そのアンテナポートに対応するリソースエレメントは１つのシンボル内にあり、そのシンボルは、基準信号を搬送するリソースブロック内の複数のシンボルのうちの１つである。端末装置は、リソースエレメントグループに含まれるリソースエレメントの個数を
【数２３】
2019525529.tif 000025
に基づいて決定する。リソースエレメントグループに含まれるリソースエレメントの個数は、
【数２４】
2019525529.tif 000026
に等しい。リソースエレメントグループに含まれる第１のリソースエレメントの個数が
【数２５】
2019525529.tif 000027
であり、ここで、
【数２６】
2019525529.tif 000028
であり、また、
【数２７】
2019525529.tif 000029
は、基準信号に対応するアンテナポートの個数である。制御チャネルが１つのシンボルを占有する場合、１つの制御チャネルエレメントに含まれるリソースエレメントグループの個数が
【数２８】
2019525529.tif 000030
である。あるいは、制御チャネルがｌ個のシンボルを占有する場合、１つの制御チャネルエレメントに含まれるリソースエレメントグループの個数が
【数２９】
2019525529.tif 000031
である。
【００２５】
任意選択で、端末装置は、制御チャネルを用いてサブフレームｎでダウンリンク制御情報を受信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【００２６】
任意選択で、端末装置はシステム情報を受信する。システム情報は、基準信号に対応するアンテナポートに関する情報を含む。基準信号に対応するアンテナポートの個数は２に等しいことが好ましい。
【００２７】
第３の態様によれば、処理ユニットと送信ユニットとを含むネットワーク装置が提供される。処理ユニットは、制御チャネルに対応するリソースエレメントグループを決定するように構成され、リソースエレメントグループは、ダウンリンク制御情報を搬送するための第１のリソースエレメントと基準信号を搬送するための第２のリソースエレメントとを含み、基準信号は、リソースエレメントグループによって搬送されるダウンリンク制御情報を復調するのに用いられる。送信ユニットは、制御チャネルを用いてダウンリンク制御情報を送信するように構成される。
【００２８】
任意選択で、リソースエレメントグループによって搬送されるダウンリンク制御情報は、リソースエレメントグループによって搬送される基準信号のみに基づいて復調される。したがって、将来の未知のサービスを送信するのに、別のリソースエレメントグループに対応する時間−周波数リソースを柔軟に用いることができ、その結果、将来の新しい特徴をサポートし、且つ現在の端末装置と互換性を保つことが可能になる。これにより、前方互換性がより十分にサポートされる。
【００２９】
任意選択で、リソースエレメントグループに含まれるリソースエレメントの個数が、リソースエレメントグループによって占有されるシンボルの個数に正比例するか、又は、リソースエレメントグループに含まれるリソースエレメントの個数が、制御チャネルによって占有されるシンボルの個数に正比例する。
【００３０】
任意選択で、第２のリソースエレメントは、リソースエレメントグループによって占有される時間領域リソースの１つのシンボル内、例えば、リソースエレメントグループによって占有される時間領域リソースの第１のシンボル内、制御チャネルによって占有される時間領域リソースの第１のシンボル内、又は制御チャネルを搬送するサブフレームの第１のシンボル内にある。
【００３１】
任意選択で、リソースエレメントグループに含まれる複数のリソースエレメントが、制御チャネルによって占有される時間領域リソースの全てのシンボルに配分される。
【００３２】
任意選択で、リソースエレメントグループによって占有される周波数領域リソースが、リソースエレメントグループによって占有される全てのシンボルにおいて同じであるか、又は、リソースエレメントグループによって占有される周波数領域リソースが、制御チャネルによって占有される全てのシンボルにおいて同じである。リソースエレメントグループによって占有される複数のリソースエレメントが、リソースエレメントグループによって占有される各シンボルにおいて連続しているか、又は、リソースエレメントグループによって占有される複数のリソースエレメントが、制御チャネルによって占有される各シンボルにおいて連続している。
【００３３】
任意選択で、処理ユニットは、１つのリソースブロックに含まれるリソースエレメントグループの個数
【数３０】
2019525529.tif 000032
を決定する。リソースブロックは、時間領域にｌ個のシンボルを含み、周波数領域に
【数３１】
2019525529.tif 000033
個のサブキャリアを含む。ｌは１より大きいか又はそれに等しい整数であり、
【数３２】
2019525529.tif 000034
は、１より大きいか又はそれに等しい整数であり、
【数３３】
2019525529.tif 000035
は、１より大きいか又はそれに等しい整数である。また、処理ユニットは、
【数３４】
2019525529.tif 000036
に基づいてリソースエレメントグループを決定する。具体的には、制御チャネルは時間領域でｌ個のシンボルを占有してよい。
【数３５】
2019525529.tif 000037
は、１２又は１６に等しいことが好ましい。
【００３４】
任意選択で、処理ユニットは、１つのアンテナポートに対応するリソースエレメントの個数に基づいて、
【数３６】
2019525529.tif 000038
を決定する。アンテナポートは、基準信号に対応する少なくとも１つのアンテナポートのうちの１つである。そのアンテナポートに対応するリソースエレメントは１つのシンボル内にあり、そのシンボルは、基準信号を搬送するリソースブロック内の複数のシンボルのうちの１つである。
【００３５】
任意選択で、処理ユニットは、１つのアンテナポートに対応するリソースエレメントの個数に基づいて、
【数３７】
2019525529.tif 000039
を決定する。アンテナポートは、基準信号に対応する少なくとも１つのアンテナポートのうちの１つである。そのアンテナポートに対応するリソースエレメントは１つのシンボル内にあり、そのシンボルは、基準信号を搬送するリソースブロック内の複数のシンボルのうちの１つである。具体的には、処理ユニットは、リソースエレメントグループに含まれるリソースエレメントの個数を
【数３８】
2019525529.tif 000040
に基づいて決定する。リソースエレメントグループに含まれるリソースエレメントの個数は、
【数３９】
2019525529.tif 000041
に等しい。リソースエレメントグループに含まれる第１のリソースエレメントの個数が
【数４０】
2019525529.tif 000042
であり、ここで、
【数４１】
2019525529.tif 000043
であり、また、
【数４２】
2019525529.tif 000044
は、基準信号に対応するアンテナポートの個数である。制御チャネルが１つのシンボルを占有する場合、１つの制御チャネルエレメントに含まれるリソースエレメントグループの個数が
【数４３】
2019525529.tif 000045
である。あるいは、制御チャネルがｌ個のシンボルを占有する場合、１つの制御チャネルエレメントに含まれるリソースエレメントグループの個数が
【数４４】
2019525529.tif 000046
である。
【００３６】
任意選択で、処理ユニットは、制御チャネルを用いてサブフレームｎでダウンリンク制御情報を送信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【００３７】
任意選択で、送信ユニットはシステム情報を送信する。システム情報は、基準信号に対応するアンテナポートに関する情報を含む。基準信号に対応するアンテナポートの個数は２に等しいことが好ましい。
【００３８】
任意選択で、この実施形態の対応する機能ユニットが、対応するハードウェアによって実現されてよく、又は、対応するソフトウェアを実行する対応するハードウェアによって実現されてもよい。例えば、送信ユニットは、送信モジュールの前述の機能を実行することが可能なハードウェア、例えば、送信機であってよく、又は、対応するコンピュータプログラムを実行して前述の機能を達成することが可能な汎用プロセッサ又は別のハードウェア装置であってもよい。別の例の場合、処理ユニットは、処理モジュールの前述の機能を実行することが可能なハードウェア、例えば、プロセッサであってよく、又は、対応するコンピュータプログラムを実行して前述の機能を達成することが可能な別のハードウェア装置であってもよい。
【００３９】
第４の態様によれば、処理ユニットと受信ユニットとを含む端末装置が提供される。処理ユニットは、制御チャネルに対応するリソースエレメントグループを決定するように構成され、リソースエレメントグループは、ダウンリンク制御情報を搬送するための第１のリソースエレメントと基準信号を搬送するための第２のリソースエレメントとを含み、リソースエレメントグループによって搬送されるダウンリンク制御情報は基準信号に基づいて復調される。受信ユニットは、ダウンリンク制御情報を制御チャネルで受信するように構成される。
【００４０】
任意選択で、処理ユニットは、リソースエレメントグループによって搬送される基準信号のみに基づいて、リソースエレメントグループによって搬送されるダウンリンク制御情報を復調する。
【００４１】
任意選択で、リソースエレメントグループに含まれるリソースエレメントの個数が、リソースエレメントグループによって占有されるシンボルの個数に正比例するか、又は、リソースエレメントグループに含まれるリソースエレメントの個数が、制御チャネルによって占有されるシンボルの個数に正比例する。
【００４２】
任意選択で、第２のリソースエレメントは、リソースエレメントグループによって占有される時間領域リソースの１つのシンボル内、例えば、リソースエレメントグループによって占有される時間領域リソースの第１のシンボル内、制御チャネルによって占有される時間領域リソースの第１のシンボル内、又は制御チャネルを搬送するサブフレームの第１のシンボル内にある。
【００４３】
任意選択で、リソースエレメントグループに含まれる複数のリソースエレメントが、制御チャネルによって占有される時間領域リソースの全てのシンボルに配分される。
【００４４】
任意選択で、リソースエレメントグループによって占有される周波数領域リソースが、リソースエレメントグループによって占有される全てのシンボルにおいて同じであるか、又は、リソースエレメントグループによって占有される周波数領域リソースが、制御チャネルによって占有される全てのシンボルにおいて同じである。リソースエレメントグループによって占有される複数のリソースエレメントが、リソースエレメントグループによって占有される各シンボルにおいて連続しているか、又は、リソースエレメントグループによって占有される複数のリソースエレメントが、制御チャネルによって占有される各シンボルにおいて連続している。
【００４５】
任意選択で、処理ユニットは、１つのリソースブロックに含まれるリソースエレメントグループの個数
【数４５】
2019525529.tif 000047
を決定する。リソースブロックは、時間領域にｌ個のシンボルを含み、周波数領域に
【数４６】
2019525529.tif 000048
個のサブキャリアを含む。ｌは１より大きいか又はそれに等しい整数であり、
【数４７】
2019525529.tif 000049
は、１より大きいか又はそれに等しい整数であり、
【数４８】
2019525529.tif 000050
は、１より大きいか又はそれに等しい整数である。また、処理ユニットは、
【数４９】
2019525529.tif 000051
に基づいてリソースエレメントグループを決定する。具体的には、制御チャネルは時間領域でｌ個のシンボルを占有してよい。
【数５０】
2019525529.tif 000052
は、１２又は１６に等しいことが好ましい。
【００４６】
任意選択で、処理ユニットは、１つのアンテナポートに対応するリソースエレメントの個数に基づいて、
【数５１】
2019525529.tif 000053
を決定する。アンテナポートは、基準信号に対応する少なくとも１つのアンテナポートのうちの１つである。そのアンテナポートに対応するリソースエレメントは１つのシンボル内にあり、そのシンボルは、基準信号を搬送するリソースブロック内の複数のシンボルのうちの１つである。処理ユニットは、リソースエレメントグループに含まれるリソースエレメントの個数を
【数５２】
2019525529.tif 000054
に基づいて決定する。リソースエレメントグループに含まれるリソースエレメントの個数は、
【数５３】
2019525529.tif 000055
に等しい。リソースエレメントグループに含まれる第１のリソースエレメントの個数が
【数５４】
2019525529.tif 000056
であり、ここで、
【数５５】
2019525529.tif 000057
であり、また、
【数５６】
2019525529.tif 000058
は、基準信号に対応するアンテナポートの個数である。制御チャネルが１つのシンボルを占有する場合、１つの制御チャネルエレメントに含まれるリソースエレメントグループの個数が
【数５７】
2019525529.tif 000059
である。あるいは、制御チャネルがｌ個のシンボルを占有する場合、１つの制御チャネルエレメントに含まれるリソースエレメントグループの個数が
【数５８】
2019525529.tif 000060
である。
【００４７】
任意選択で、処理ユニットは、制御チャネルを用いてサブフレームｎでダウンリンク制御情報を受信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【００４８】
任意選択で、処理ユニットはシステム情報を受信する。システム情報は、基準信号に対応するアンテナポートに関する情報を含む。基準信号に対応するアンテナポートの個数は２に等しいことが好ましい。
【００４９】
任意選択で、この実施形態の対応する機能ユニットが、対応するハードウェアによって実現されてよく、又は、対応するソフトウェアを実行する対応するハードウェアによって実現されてもよい。例えば、処理ユニットは、処理モジュールの機能を実行することが可能なハードウェア、例えば、プロセッサであってよく、又は、対応するコンピュータプログラムを実行して前述の機能を達成することが可能な別のハードウェア装置であってもよい。別の例の場合、受信ユニットは、受信モジュールの前述の機能を実行することが可能なハードウェア、例えば、受信機であってよく、又は、対応するコンピュータプログラムを実行して前述の機能を達成することが可能な汎用プロセッサ又は別のハードウェア装置であってもよい。
【００５０】
本発明の実施形態はリソースエレメントグループを提供する。ネットワーク装置が、画定されたリソースエレメントグループに基づき、制御チャネルを用いてダウンリンク制御情報を端末装置に送信してよい。リソースエレメントグループは、ダウンリンク制御情報と、ダウンリンク制御情報を復調するための基準信号とを搬送する。
【図面の簡単な説明】
【００５１】
本発明の実施形態における技術的解決手段をより明確に説明するために、以下では、これらの実施形態を説明するのに必要な添付図面を簡潔に説明する。以下に説明する添付図面は、単に本発明の一部の実施形態を示すに過ぎず、当業者であれば、創造的努力をすることなく、これらの添付図面から他の図面をさらに引き出し得ることは明らかである。
【００５２】
【図１】本発明の一実施形態による通信システムの応用シナリオの概略図である。
【００５３】
【図２】本発明の一実施形態に従って制御情報を送信するための方法の概略フローチャートである。
【００５４】
【図３】本発明の一実施形態によるネットワーク装置の実行可能な概略構造図である。
【００５５】
【図４】本発明の一実施形態による端末装置の実行可能な概略構造図である。
【発明を実施するための形態】
【００５６】
本発明の実施形態における解決手段をより十分に当業者に理解してもらうために、以下ではさらに、添付図面および実装例を参照して本発明の実施形態を説明する。
【００５７】
本発明の実施形態は、５Ｇ、新無線（ＮＲ）、ＬＴＥなどの通信システムに適用され得る。ＮＲは、新無線接続技術、又は新無線接続技術を用いるシステムである。ＮＲ（Ｎｅｗ  Ｒａｄｉｏ）通信システムでは、制御情報が制御チャネルを用いて伝送され、制御チャネルは、リソースエレメントグループ（Ｒｅｓｏｕｒｃｅ−Ｅｌｅｍｅｎｔ  Ｇｒｏｕｐ、略してＲＥＧ）及び／又は制御チャネルエレメント（Ｃｏｎｔｒｏｌ  Ｃｈａｎｎｅｌ  Ｅｌｅｍｅｎｔ、略してＣＣＥ）を用いて画定されてよい。リソースエレメントグループは、複数のリソースエレメントの組み合わせであってよい。制御チャネルエレメントは、複数のリソースエレメントグループの組み合わせであってよい。ＮＲ通信システムのＲＥＧはＮＲ−ＲＥＧと呼ばれることもあり、ＮＲ通信システムのＣＣＥはＮＲ−ＣＣＥと呼ばれることもある。本発明の通信システムへの応用は主に、図１に示すように、ネットワーク装置１０１と端末装置１０２との間のダウンリンク制御情報の送信を含む。
【００５８】
本発明の実施形態におけるネットワーク装置１０１は、ネットワーク側のネットワークエレメントであり、基地局、アクセスポイント、コアネットワークエレメント、又はアクセスネットワークエレメントであってよいことに留意されたい。基地局は、受信した無線フレーム及びインターネットプロトコル（Ｉｎｔｅｒｎｅｔ  Ｐｒｏｔｏｃｏｌ、略してＩＰ）パケットに対して相互変換を行うように構成され、無線端末とアクセスネットワークの残りの部分との間のルータの役割を果たしてよい。アクセスネットワークの残りの部分には、ＩＰネットワークが含まれてよい。基地局はさらに、無線インタフェースの属性管理を調整してよい。例えば、基地局は、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、略してＧＳＭ（登録商標））又は符号分割多元接続（Ｃｏｄｅ  Ｄｉｖｉｓｉｏｎ  Ｍｕｌｔｉｐｌｅ  Ａｃｃｅｓｓ、略してＣＤＭＡ）における基地局（Ｂａｓｅ  Ｔｒａｎｓｃｅｉｖｅｒ  Ｓｔａｔｉｏｎ、略してＢＴＳ）であってよく、あるいは、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、略してＷＣＤＭＡ（登録商標））におけるＮｏｄｅＢ（ＮｏｄｅＢ）であってもよく、あるいは、ＬＴＥにおける進化型ＮｏｄｅＢ（ｅＮＢ又はｅ−ＮｏｄｅＢ、進化的なＮｏｄｅ  Ｂ）であってもよく、あるいは、将来の５Ｇ、ＮＲ、又はＬＴＥシステムにおけるネットワーク側の新しいネットワークエレメントであってもよい。これについては、本出願において限定されるものではない。
【００５９】
本発明の実施形態における端末装置１０２は、ユーザに音声接続及び／又はデータ接続を提供する装置、無線接続機能を備えたハンドヘルド型装置、又は無線モデムに接続された別の処理装置であってよいことに留意されたい。無線装置又は無線ユニットは、携帯電話（又は「セルラー方式」の電話と呼ばれる）や、移動端末を有するコンピュータなどの移動端末であってよく、例えば、携帯用移動体装置、ポケットサイズ型移動体装置、ハンドヘルド型移動体装置、コンピュータ内蔵型移動体装置、又は車載型移動体装置であってよい。また、無線装置又は無線ユニットは、無線アクセスネットワークと音声及び／又はデータをやり取りする。例えば、無線装置又は無線ユニットは、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話、セッション開始プロトコル電話、無線ローカルループ（Ｗｉｒｅｌｅｓｓ  Ｌｏｃａｌ  Ｌｏｏｐ、略してＷＬＬ）局、又は携帯情報端末（Ｐｅｒｓｏｎａｌ  Ｄｉｇｉｔａｌ  Ａｓｓｉｓｔａｎｔ、略してＰＤＡ）などの装置であってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動体コンソール（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、端末装置（Ｕｓｅｒ  Ｄｅｖｉｃｅ）、又はユーザ機器（Ｕｓｅｒ  Ｅｑｕｉｐｍｅｎｔ、略してＵＥ）と呼ばれることもある。
【００６０】
本発明の実施形態は、制御情報を送信するための方法、並びにネットワーク装置及び端末装置を提供する。制御情報は、制御チャネルを用いて送信又は受信される。制御チャネルは、複数の制御チャネルエレメントを含む。複数の制御チャネルエレメントは、制御情報を搬送するのに用いられる。ネットワーク装置又は端末装置は、制御チャネルに対応するリソースエレメントグループを決定する必要があり、制御チャネルを用いることにより、リソースエレメントグループに基づいて制御情報を送信又は受信する。リソースエレメントグループは複数のリソースエレメントを含む。
【００６１】
従来の無線通信システムでは、対応する制御チャネル形式が特定の通信システム用に設計されているので、将来の通信システムの新しい特徴又は未知のサービスの送信／受信と良好な互換性を有することができない。換言すると、従来の無線通信システムの制御チャネル設計には、十分な柔軟性がない。本発明の実施形態において提供される解決手段では、通信システムの新しい特徴又は新しいサービスとの互換性を改善するために、制御チャネルを柔軟に設計することができる。
【００６２】
以下では、図２を参照して、本発明の実施形態において提供される解決手段を説明する。
【００６３】
Ｓ２０１：ネットワーク装置が、制御チャネルに対応するリソースエレメントグループを決定する。
【００６４】
Ｓ２０２：ネットワーク装置は、制御チャネルを用いてダウンリンク制御情報を送信する。
【００６５】
Ｓ２０３：端末装置が、制御チャネルに対応するリソースエレメントグループを決定する。
【００６６】
段階Ｓ２０３は、段階Ｓ２０１又はＳ２０２の前に行われてもよく、段階Ｓ２０３、Ｓ２０１、及びＳ２０２の実行順序は限定されるものではないことに留意されたい。
【００６７】
Ｓ２０４：端末装置は、リソースエレメントグループに基づいて、ダウンリンク制御情報を制御チャネルで受信する。
【００６８】
前述の実施形態において、リソースエレメントグループは、ダウンリンク制御情報を搬送するための第１のリソースエレメントと基準信号を搬送するための第２のリソースエレメントとを含み、基準信号は、リソースエレメントグループによって搬送されるダウンリンク制御情報を復調するのに用いられる。端末装置は、第２のリソースエレメントによって搬送される基準信号に基づいて、第１のリソースエレメントによって搬送されるダウンリンク制御情報を復調する。
【００６９】
本発明のこの実施形態のリソースエレメントグループによれば、ネットワーク装置は、リソースエレメントグループに基づき、制御チャネルを用いてダウンリンク制御情報を端末装置に送信する。これにより、ＮＲ通信システムにおいて制御チャネルをどのように設計するかという課題が解決され、ＮＲ通信システムにおいてネットワーク装置と端末装置との間のインタラクションが実現される。リソースエレメントグループはダウンリンク制御情報及び基準信号を搬送し、基準信号はリソースエレメントグループによって搬送されるダウンリンク制御情報を復調するのに用いられ、リソースエレメントグループによって搬送されるダウンリンク制御情報がリソースエレメントグループによって搬送される基準信号のみに基づいて復調されるという可能性を与える。これにより、別のリソースエレメントグループに対応する時間−周波数リソースが将来の未知のサービスを送信するのに柔軟に用いられ得るという可能性が与えられ、また前方互換性を効果的にサポートするという可能性が与えられる。
【００７０】
本発明のこの実施形態では、ネットワーク装置がダウンリンク制御情報及び基準信号を送信し、端末装置が、受信したダウンリンク制御情報を基準信号に基づいて復調し、ネットワーク装置及び端末装置が、ダウンリンク制御情報及び基準信号を搬送する制御チャネルに対応するリソースエレメントグループを同じ方式で決定することに留意されたい。以下では、ネットワーク装置によって制御情報を送信するための方法の一例を用いて、処理手順を詳しく述べ且つ説明する。リソースエレメントグループを決定して、リソースエレメントグループに対応する復調を行うために端末装置によって用いられる方法は、ネットワーク装置によって用いられる方法と同じである。詳細に関しては、ネットワーク装置によって制御情報を送信するための方法の手順を参照されたい。
【００７１】
本発明の一実施形態において、ネットワーク装置は制御チャネルに対応するリソースエレメントグループを決定し、制御チャネルに対応するリソースエレメントグループは、制御チャネルに対応する１つのリソースエレメントグループであってよい。この場合、基準信号は、リソースエレメントグループによって搬送されるダウンリンク制御情報を復調するのに用いられる。
【００７２】
別の任意選択的な実施形態において、ネットワーク装置は制御チャネルに対応するリソースエレメントグループを決定し、制御チャネルに対応するリソースエレメントグループは、制御チャネルに対応する複数のリソースエレメントグループのそれぞれであってよい。この場合、基準信号は、複数のリソースエレメントグループのうち１つ又は複数によって搬送されるダウンリンク制御情報を復調するのに用いられる。
【００７３】
制御チャネルに対応するリソースエレメントグループが複数のリソースエレメントグループのそれぞれであるという場合については、基準信号とダウンリンク制御情報との間に複数の関係があってよい。
【００７４】
一実装例において、制御チャネルに対応する複数のリソースエレメントグループのそれぞれに関しては、各リソースエレメントグループによって搬送される基準信号が、基準信号を搬送するリソースエレメントグループによって搬送されるダウンリンク制御情報を復調するのに用いられてよく、また別のリソースエレメントグループによって搬送されるダウンリンク制御情報を復調するのに用いられてもよい。具体的には、複数のリソースエレメントグループによって搬送される複数の基準信号が、複数のリソースエレメントグループによって搬送されるダウンリンク制御情報を復調するのに用いられてよい。例えば、制御チャネルに対応する、リソースエレメントグループ１及びリソースエレメントグループ２という２つのリソースエレメントグループがあるとする。リソースエレメントグループ１によって搬送される基準信号が、リソースエレメントグループ１によって搬送されるダウンリンク制御情報を復調するのに用いられてよく、またリソースエレメントグループ２によって搬送されるダウンリンク制御情報を復調するのに用いられてもよい。
【００７５】
具体的には、複数のリソースエレメントグループによって搬送される複数の基準信号が、複数のリソースエレメントグループによって搬送されるダウンリンク制御情報を復調するのに用いられる場合、複数のリソースエレメントグループは、１つの端末装置に対応する複数のリソースエレメントグループであってよく、又は異なる端末装置に対応する複数のリソースエレメントグループであってもよい。
【００７６】
別の実装例において、制御チャネルに対応する複数のリソースエレメントグループのそれぞれに関しては、各リソースエレメントグループによって搬送されるダウンリンク制御情報が、そのリソースエレメントグループによって搬送される基準信号のみに基づいて復調される。具体的には、あるリソースエレメントグループによって搬送されるダウンリンク制御情報の復調が、別のリソースエレメントグループによって搬送される基準信号を利用することはない。あるいは、各リソースエレメントグループによって搬送されるダウンリンク制御情報が、１つの端末装置に対応する複数の連続したリソースエレメントグループによって搬送される複数の基準信号のみに基づいて復調される。前述の２種類のリソースエレメントグループは、自己完結型リソースエレメントグループと呼ばれる。例えば、制御チャネルに対応する、リソースエレメントグループ１及びリソースエレメントグループ２という２つのリソースエレメントグループがある場合、リソースエレメントグループ１によって搬送される基準信号が、リソースエレメントグループ１によって搬送されるダウンリンク制御情報のみを復調するのに用いられてよく、リソースエレメントグループ２によって搬送されるダウンリンク制御情報は、リソースエレメントグループ１によって搬送される基準信号を用いて復調することはできない。あるいは、制御チャネルに対応するリソースエレメントグループ１、リソースエレメントグループ２、…、リソースエレメントグループｋ（ｋは３より大きいか又はそれに等しい）という複数のリソースエレメントグループがあり、リソースエレメントグループ１、リソースエレメントグループ２、及びリソースエレメントグループ３が、１つの端末装置に対応する複数の連続したリソースエレメントグループである場合、リソースエレメントグループ１によって搬送されるダウンリンク制御情報が、リソースエレメントグループ１〜３によって搬送される複数の基準信号に基づいて復調されてよい。この実装例において、基準信号は、リソースエレメントグループによって搬送されるダウンリンク制御情報を復調するのに用いられ、異なる端末装置に対応する異なるリソースエレメントグループを用いて異なるビーム方向に伝送を行うという可能性を与える。これにより、端末装置が特定のビーム方向に制御チャネルを伝送するという可能性が与えられ、制御チャネルのカバレッジが改善される。
【００７７】
さらに任意選択で、自己完結型リソースエレメントグループは、別のリソースエレメントグループによって搬送される基準信号を利用することはない。別のリソースエレメントグループは、同じ端末装置に対応するリソースエレメントグループであってよく、又は別の端末装置に対応するリソースエレメントグループであってもよい。
別のリソースエレメントグループが、同じ端末装置に対応するリソースエレメントグループである場合、別のリソースエレメントグループは、同じ端末装置の同じダウンリンク制御情報形式に対応するリソースエレメントグループであってよく、又は同じ端末装置の異なるダウンリンク制御情報形式に対応するリソースエレメントグループであってもよい。
【００７８】
この任意選択的な実施形態では、基準信号を用いてダウンリンク制御情報をどのように復調するかが、以下の複数の方式で決定されてよい。
【００７９】
例えば、制御チャネルの伝送方式が、基準信号を用いてダウンリンク制御情報をどのように復調するかを決定するのに用いられてよい。例えば、制御チャネルの伝送方式が個別伝送方式である場合、各リソースエレメントグループによって搬送されるダウンリンク制御情報は、各リソースエレメントグループによって搬送される基準信号のみに基づいて復調される。制御チャネルの伝送方式が集中伝送方式である場合、各リソースエレメントグループによって搬送される基準信号は、その基準信号を搬送するリソースエレメントグループによって搬送されるダウンリンク制御情報を復調するのに用いられてよく、また別のリソースエレメントグループによって搬送されるダウンリンク制御情報を復調するのに用いられてもよい。具体的には、複数のリソースエレメントグループによって搬送される複数の基準信号は、複数のリソースエレメントグループによって搬送されるダウンリンク制御情報を復調するのに用いられてよい。
【００８０】
別の例の場合、ネットワーク装置はシグナリングを端末装置に送信し、シグナリングは、基準信号を用いてダウンリンク制御情報をどのように復調するかを示すのに用いられる。具体的には、ネットワーク装置は、各リソースエレメントグループによって搬送される基準信号のみに基づいて、リソースエレメントグループによって搬送されるダウンリンク制御情報を復調するよう端末装置に命令してよく、又は、複数のリソースエレメントグループによって搬送される複数の基準信号を用いて、複数のリソースエレメントグループによって搬送されるダウンリンク制御情報を復調するよう端末装置に命令してもよい。
【００８１】
ビームフォーミング（ｂｅａｍｆｏｒｍｉｎｇ）は、ＮＲ通信システムでは重要な技術である。ビームフォーミング技術は、アナログビーム及び／又はデジタルビームを用いることで伝播方向を制御して、大きなゲインを得るのに用いられ得る。制御情報又は制御チャネルがビームフォーミング伝送方式で伝送される場合、制御チャネルに対応する基準信号も同じビームを用いて伝送される。また、異なる端末装置が異なるビームに基づいて伝送を行ってよく、したがって、異なるビーム方向を用いる複数の端末装置間で１つの基準信号を共有することはできない。したがって、自己完結型リソースエレメントグループに基づいて、あるリソースエレメントグループに対応する復調が、そのリソースエレメントグループによって搬送される基準信号のみに基づいて行われるか、又は、同じ端末装置に対応する複数の連続したリソースエレメントグループによって搬送される複数の基準信号のみに基づいて行なわれる。これにより、異なるビームを用いて異なるリソースエレメントグループを伝送することが可能になり得る。その結果、ビームフォーミング伝送方式を極めて柔軟且つ効率的に用いて、制御情報又は制御チャネルが異なる端末装置に送信される。さらに、自己完結型リソースエレメントグループに基づいて、リソースエレメントグループに対応する復調が、別のリソースエレメントグループによって搬送される基準信号を利用することはない。したがって、別のリソースエレメントグループに対応する時間−周波数リソースが将来の未知のサービスを送信するのに柔軟に用いられ得る。その結果、将来の新しい特徴をサポートして現在の端末装置との互換性を保ち、前方互換性をより十分にサポートすることが可能になる。将来の無線通信技術又はＮＲシステムにおいて、自己完結型リソースエレメントグループはビームフォーミング技術に適用され、これにより制御情報は、ビームフォーミング伝送方式を効率的に用いて伝送され、制御チャネルを集中方式でビーム方向に対応させることができ、これにより、制御チャネルのカバレッジが改善される。
【００８２】
本発明の任意選択的な実施形態において、ネットワーク装置が制御チャネルに対応するリソースエレメントグループを決定することは、ネットワーク装置によって、制御チャネルに対応するリソースエレメントグループに含まれるリソースエレメントを決定すること、又は制御チャネルに対応するリソースエレメントグループに含まれるリソースエレメントの個数を決定することを含む。
【００８３】
さらに任意選択で、リソースエレメントグループに含まれるリソースエレメントの個数は、リソースエレメントグループによって占有されるシンボルの個数に正比例するか、又は、リソースエレメントグループに含まれるリソースエレメントの個数は、制御チャネルによって占有されるシンボルの個数に正比例する。リソースエレメントグループは、制御チャネルに対応する１つ又は複数のリソースエレメントグループのうちいずれか１つである。リソースエレメントグループに含まれるリソースエレメントの個数は、リソースエレメントグループによって占有されるシンボルの個数に正比例する。その結果、リソースエレメントグループが複数のシンボルを占有する場合には、基準信号を各シンボルに追加することなく、自己完結型リソースエレメントグループが依然として実現され得る。これにより、参照信号のオーバヘッドが削減される。
【００８４】
さらに任意選択で、リソースエレメントグループに含まれる複数のリソースエレメントは、制御チャネルによって占有されるシンボルの一部又は全てのシンボルに配分される。具体的には、制御チャネルによって占有される時間領域リソースが１つ又は複数のシンボルを含み、各シンボルは第１のリソースエレメント及び／又は第２のリソースエレメントを含む。リソースエレメントグループに含まれる複数のリソースエレメントが、制御チャネルによって占有される全てのシンボルに配分されるということは、少なくとも１つのリソースエレメントが、制御チャネルによって占有される全てのシンボルのそれぞれで搬送されることを示し得る。リソースエレメントグループに含まれる複数のリソースエレメントは制御チャネルによって占有される全てにシンボルに配分される。その結果、制御チャネルが複数のシンボルを占有する場合には、基準信号を各シンボルに追加することなく、自己完結型リソースエレメントグループが依然として実現され得る。これにより、参照信号のオーバヘッドが削減される。
【００８５】
さらに任意選択で、リソースエレメントグループによって占有される周波数領域リソースが、リソースエレメントグループによって占有される全てのシンボルにおいて同じであるか、又は、リソースエレメントグループによって占有される複数のリソースエレメントが、リソースエレメントグループによって占有される各シンボルにおいて連続している。あるいは、リソースエレメントグループによって占有される周波数領域リソースが、制御チャネルによって占有される全てのシンボルにおいて同じであるか、又は、リソースエレメントグループによって占有される複数のリソースエレメントが、制御チャネルによって占有される各シンボルにおいて連続している。リソースエレメントグループによって占有される周波数領域リソースは、リソースエレメントグループによって占有される全てのシンボル又は制御チャネルによって占有される全てのシンボルにおいて同じあり、異なるリソースエレメントグループによって占有される対応する周波数領域リソースが異なるシンボルにおいて重複することが防止される。これにより、異なるリソースエレメントグループで基準信号が共有されることが防止される。
【００８６】
さらに、本発明は任意選択的な実施形態を提供する。制御チャネルに対応するリソースエレメントグループを決定する場合、ネットワーク装置はまず、１つのリソースブロックに含まれるリソースエレメントグループの個数を決定し、次に、リソースエレメントグループの個数に基づいてリソースエレメントグループを決定する。具体的には、ネットワーク装置は、１つのリソースブロックに含まれるリソースエレメントグループの個数
【数５９】
2019525529.tif 000061
を決定し、
【数６０】
2019525529.tif 000062
に基づいて、制御チャネルに対応するリソースエレメントグループを決定する。リソースブロックは、時間領域にｌ個のシンボルを含み、周波数領域に
【数６１】
2019525529.tif 000063
個のサブキャリアを含む。ｌは１より大きいか又はそれに等しい整数であり、
【数６２】
2019525529.tif 000064
は、１より大きいか又はそれに等しい整数であり、
【数６３】
2019525529.tif 000065
は、１より大きいか又はそれに等しい整数である。任意選択で、
【数６４】
2019525529.tif 000066
は、１２に等しいか、又は、
【数６５】
2019525529.tif 000067
は、１６に等しい。
【００８７】
さらに任意選択で、ネットワーク装置は、１つのアンテナポートに対応するリソースエレメントの個数に基づいて、
【数６６】
2019525529.tif 000068
を決定する。アンテナポートは、基準信号に対応する少なくとも１つのアンテナポートのうちの１つであってよい。アンテナポートに対応するリソースエレメントは１つのシンボル内にあり、このシンボルは基準信号を搬送するリソースブロック内の複数のシンボルのうちの１つである。アンテナポートに対応するリソースエレメントの個数に基づいて、
【数６７】
2019525529.tif 000069
が決定される。これにより、各リソースエレメントグループに含まれる第２のリソースエレメントが、基準信号に対応する全てのアンテナポートに対応する複数のリソースエレメントを含む。全てのアンテナポートに対応する複数のリソースエレメントは、リソースエレメントグループによって占有される時間−周波数リソースにおいて、全てのアンテナポートに対応する複数のリソースエレメントである。
【００８８】
さらに任意選択で、第２のリソースエレメントは、リソースエレメントグループによって占有される時間領域リソースの１つのシンボル内にある。例えば、第２のリソースエレメントは、リソースエレメントグループによって占有される時間領域リソースの第１のシンボル内、又は制御チャネルによって占有される時間領域リソースの第１のシンボル内、又は制御チャネルを搬送するサブフレームの第１のシンボル内にある。第２のリソースエレメントは、制御チャネルに対応する全てのリソースエレメントグループに含まれる複数の第２のリソースエレメントであってよい。第２のリソースエレメントは、リソースエレメントグループによって占有される時間領域リソースの１つのシンボル内にあり、その結果、リソースエレメントグループが複数のシンボルを占有する場合には、基準信号を各シンボルに追加することなく、自己完結型リソースエレメントグループが依然として実現され得る。これにより、参照信号のオーバヘッドが削減される。
【００８９】
具体的には、第２のリソースエレメントが、リソースエレメントグループによって占有される時間領域リソースの第１のシンボル内にある場合、リソースエレメントグループに含まれる第１のリソースエレメントの個数が、
【数６８】
2019525529.tif 000070
であり、ここで、
【数６９】
2019525529.tif 000071
であり、また、
【数７０】
2019525529.tif 000072
は、基準信号に対応するアンテナポートの個数である。
【００９０】
さらに任意選択で、リソースエレメントグループはリソースブロックの全てのシンボルに配分され、リソースエレメントグループに含まれるリソースエレメントの個数が
【数７１】
2019525529.tif 000073
に等しい。
【００９１】
さらに任意選択で、各制御チャネルエレメントに含まれるリソースエレメントグループの個数が、制御チャネルによって占有されるシンボルの個数によって変わってもよい。制御チャネルが１つのシンボルを占有する場合、１つの制御チャネルエレメントに含まれるリソースエレメントグループの個数が
【数７２】
2019525529.tif 000074
である。あるいは、制御チャネルがｌ個のシンボルを占有する場合、１つの制御チャネルエレメントに含まれるリソースエレメントグループの個数が
【数７３】
2019525529.tif 000075
である。この任意選択的な方式では、制御チャネルによって占有されるシンボルの個数が変わったとしても、１つの制御チャネルエレメントに含まれる第１のリソースエレメントの個数が本質的に変わらないままであり得、これにより、制御チャネル設計が簡略化される。前述の式の
【数７４】
2019525529.tif 000076
は、切り上げ記号である。
【００９２】
本発明の任意選択的な実施形態において、制御チャネルを用いてダウンリンク制御情報を送信する場合、ネットワーク装置はサブフレームｎでダウンリンク制御情報を送信し、端末装置はサブフレームｎでダウンリンク制御情報を受信する。ここで、ｎは０より大きいか又はそれに等しい整数である。
【００９３】
任意選択で、ダウンリンク制御情報はアンテナポート情報を含み、アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報であってよい。制御チャネルに対応するアンテナポートは、制御チャネルに対応する基準信号に対応するアンテナポートであってよく、さらに、リソースエレメントグループによって搬送される基準信号に対応する複数のアンテナポートに含まれ、且つ複数の端末装置のうち１つ又は複数によってダウンリンク制御情報を復調するのに用いられるアンテナポートであってよい。ダウンリンク制御情報は、制御チャネルに対応するアンテナポートを示すために動的に送信され、マルチユーザ多入力多出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、略してＭＵ−ＭＩＭＯ）をより十分にサポートし得る。具体的には、同じリソースエレメントグループが、複数のユーザ装置に対応する制御情報又は制御チャネルを搬送するのに用いられ得るが、複数のユーザ装置はそれぞれ、基準信号に対応する異なるアンテナポートを用いて制御チャネルを復調する。
【００９４】
本発明のこの実施形態において、システム情報が、リソースエレメントグループによって搬送される基準信号に対応するアンテナポートに関する情報又は基準信号の密度情報を示すのに用いられる。任意選択的な実施形態において、ネットワーク装置はシステム情報を端末装置に送信し、端末装置はシステム情報を受信する。システム情報は、基準信号に対応するアンテナポートに関する情報又は基準信号の密度情報を含む。システム情報に関する異なる無線通信システムの異なる要件に基づいて、システム情報は別の種類の情報を代替的に含んでよく、このことは本明細書において具体的に限定されるものではない。システム情報は、以下の複数の種類の情報のうち１つ又は複数を含んでよい。
【００９５】
例えば、システム情報に含まれるアンテナポートに関する情報は、基準信号に対応するアンテナポートの個数であってよい。例えば、システム情報は、リソースエレメントグループによって搬送される基準信号に対応するアンテナポートの個数が２個又は４個であることを示してよい。
【００９６】
別の例の場合、基準信号の密度情報は、１つのリソースエレメントグループに含まれて、基準信号に用いられるリソースエレメントの個数を含んでよい。密度情報によって示される基準信号の密度が高いと、対応するリソースエレメントが多数あることを示す。密度情報によって示される密度が低いと、対応するリソースエレメントが少数しかないことを示す。密度情報は、規定の値、レベル、又は他の情報によって表されてよい。
【００９７】
具体的には、システム情報の送信時点又は送信期間が、システム情報を搬送する情報の種類によって決まる。例えば、システム情報はマスター情報ブロック（Ｍａｓｔｅｒ  ｉｎｆｏｒｍａｔｉｏｎ  ｂｌｏｃｋ、略してＭＩＢ）によって搬送されてよく、システム情報は、ＭＩＢの送信期間又は送信時点に従って送信される。
【００９８】
本発明のこの実施形態において、システム情報は、リソースエレメントグループによって搬送される基準信号に対応するアンテナポートに関する情報又は基準信号の密度情報を示すのに用いられ、その結果、リソースエレメントグループによって搬送される基準信号に対応するアンテナポートの個数の柔軟な設定を実現し、実際のシナリオの要件をより十分に満たすことができる。例えば、複数のアンテナポートを設定することで、伝送ダイバーシティの伝送方式が可能になる。したがって、実際のシナリオにおいてチャネル条件が比較的悪い場合、制御チャネルの伝送性能を改善するために複数のアンテナポートが必要になるので、比較的多数のアンテナポートが設定されてよく、その逆の場合には逆の設定になる。システム情報は、リソースエレメントグループによって搬送される基準信号の密度を示すのに用いられ、その結果、リソースエレメントグループによって搬送される基準信号の柔軟な密度設定を実現し、実際のシナリオの要件をより十分に満たすことができる。
【００９９】
別の任意選択的な実施形態において、ネットワーク装置は、チャネル符号化後に取得される制御情報を、制御チャネルを用いて端末装置に送信し、端末装置は制御情報を制御チャネルで受信する。制御チャネルは、以下の方式で伝送されてよい。
【０１００】
例えば、制御チャネルの伝送が個別伝送方式で行われる。すなわち、ダウンリンク制御情報（Ｄｏｗｎｌｉｎｋ  Ｃｏｎｔｒｏｌ  Ｉｎｆｏｒｍａｔｉｏｎ、略してＤＣＩ）を搬送する制御チャネルが、制御チャネルの時間−周波数リソースで伝送され、ＤＣＩを搬送する制御チャネルによって占有される時間−周波数リソースが、制御チャネルの時間−周波数リソースに個別に配分される。例えば、ダウンリンク制御情報ＤＣＩを搬送する制御チャネルに対応するリソースエレメントグループが、制御チャネルの時間−周波数リソースに個別に配分される。制御チャネルを個別方式で伝送することで、より多くのダイバーシティゲインを得ることができ、その結果、制御チャネルの性能を改善することができる。
【０１０１】
別の例の場合、制御チャネルの伝送が集中伝送方式で行われる。ＤＣＩを搬送する制御チャネルが制御チャネルの時間−周波数リソースで伝送され、ＤＣＩを搬送する制御チャネルによって占有される時間−周波数リソースが、制御チャネルの時間−周波数リソースに集中方式で配分される。例えば、ダウンリンク制御情報ＤＣＩを搬送する制御チャネルに対応するリソースエレメントグループが、制御チャネルの時間−周波数リソースの一部に集中方式で配分される。制御チャネルを集中伝送方式で伝送する間、制御チャネルを集中方式でビーム方向に対応させるために、ビームフォーミング伝送方式を用いることができ、これにより、制御チャネルのカバレッジが改善される。さらに、制御チャネルは集中伝送方式で伝送され、その結果、ユーザ装置は、集中方式で用いられるリソースに対して、複数の基準信号を用いてチャネル推定を行うことができ、これにより、チャネル推定性能が改善され、ビーム伝送方式に基づいて伝送される制御チャネルの性能が改善される。
【０１０２】
本発明のこの実施形態において、リソースエレメントグループが画定される。リソースエレメントグループは、ダウンリンク制御情報を伝送するのに用いられるリソースエレメントと、基準信号を伝送するのに用いられるリソースエレメントとを含む。基準信号は、リソースエレメントグループに対応する復調に用いられる。リソースエレメントグループが自己完結型リソースエレメントグループである場合、制御情報は、ビームフォーミング伝送方式を効率的に用いて伝送され、制御チャネルを集中方式でビーム方向に対応させることができ、これにより、制御チャネルのカバレッジが改善される。
【０１０３】
制御情報又は制御チャネルがビームフォーミング伝送方式で伝送される場合、制御チャネルに対応する基準信号も同じビームを用いて伝送される。また、異なる端末装置が異なるビームに基づいて伝送を行ってよく、したがって、異なるビーム方向を用いる端末装置間で１つの基準信号を共有することはできない。
【０１０４】
自己完結型リソースエレメントグループが用いられる場合、リソースエレメントグループによって搬送されるダウンリンク制御情報が、リソースエレメントグループによって搬送される基準信号のみに基づいて復調されるか、又は、１つの端末装置に対応する複数の連続したリソースエレメントグループによって搬送される複数の基準信号のみに基づいて復調される。自己完結型リソースエレメントグループに対応する復調方式によって、異なるビームを用いて異なるリソースエレメントグループを伝送することが可能になり得る。その結果、ビームフォーミング伝送方式を極めて柔軟且つ効率的に用いて、制御情報又は制御チャネルが異なる端末装置に送信される。
【０１０５】
さらに、リソースエレメントグループに対応する復調が、リソースエレメントグループによって搬送される基準信号のみに基づいて行われ、リソースエレメントグループに対応する復調が、別のリソースエレメントグループによって搬送される基準信号を利用することはないので、別のリソースエレメントグループに対応する時間−周波数リソースが将来の未知のサービスを送信するのに柔軟に用いられ得る。その結果、将来の新しい特徴をサポートして現在の端末装置との互換性を保つことが可能になる。
したがって、自己完結型リソースエレメントグループは前方互換性をより十分にサポートすることができる。
【０１０６】
図３は、本発明の一実施形態におけるネットワーク装置の実行可能な概略構造図である。
【０１０７】
ネットワーク装置は、処理ユニット３０１と、送信ユニット３０２と、受信ユニット３０３とを含む。実際の要件に基づいて、ネットワーク装置はさらに、記憶ユニット（図には示されていない）などを含んでよい。
【０１０８】
処理ユニット３０１は、制御チャネルに対応するリソースエレメントグループを決定するように構成される。リソースエレメントグループは、ダウンリンク制御情報を搬送するための第１のリソースエレメントと基準信号を搬送するための第２のリソースエレメントとを含み、基準信号は、リソースエレメントグループによって搬送されるダウンリンク制御情報を復調するのに用いられる。
【０１０９】
送信ユニット３０２は、制御チャネルを用いてダウンリンク制御情報を送信するように構成される。
【０１１０】
受信ユニット３０３は、別のネットワーク装置又は端末装置によって送信された情報及びデータを受信するように構成される。
【０１１１】
本発明の一実施形態において、処理ユニット３０１は、制御チャネルに対応するリソースエレメントグループを決定する。制御チャネルに対応するリソースエレメントグループは、制御チャネルに対応する１つのリソースエレメントグループであってよい。この場合、基準信号は、リソースエレメントグループによって搬送されるダウンリンク制御情報を復調するのに用いられる。
【０１１２】
別の任意選択的な実施形態において、処理ユニット３０１は、制御チャネルに対応するリソースエレメントグループを決定する。制御チャネルに対応するリソースエレメントグループは代替的に、制御チャネルに対応する複数のリソースエレメントグループのそれぞれであってよい。この場合、基準信号は、複数のリソースエレメントグループのうち１つ又は複数によって搬送されるダウンリンク制御情報を復調するのに用いられる。
【０１１３】
制御チャネルに対応するリソースエレメントグループが複数のリソースエレメントグループのそれぞれであるという場合については、基準信号とダウンリンク制御情報との間に複数の関係があってよい。
【０１１４】
一実装例において、制御チャネルに対応する複数のリソースエレメントグループのそれぞれに関しては、各リソースエレメントグループによって搬送される基準信号が、基準信号を搬送するリソースエレメントグループによって搬送されるダウンリンク制御情報を復調するのに用いられてよく、また別のリソースエレメントグループによって搬送されるダウンリンク制御情報を復調するのに用いられてもよい。具体的には、複数のリソースエレメントグループのそれぞれによって搬送される複数の基準信号が、複数のリソースエレメントグループによって搬送されるダウンリンク制御情報を復調するのに用いられてよい。例えば、制御チャネルに対応する、リソースエレメントグループ１及びリソースエレメントグループ２という２つのリソースエレメントグループがある場合、リソースエレメントグループ１によって搬送される基準信号が、リソースエレメントグループ１によって搬送されるダウンリンク制御情報を復調するのに用いられてよく、またリソースエレメントグループ２によって搬送されるダウンリンク制御情報を復調するのに用いられてもよい。
【０１１５】
具体的には、複数のリソースエレメントグループによって搬送される複数の基準信号が、複数のリソースエレメントグループによって搬送されるダウンリンク制御情報を復調するのに用いられる場合、複数のリソースエレメントグループは、１つの端末装置に対応する複数のリソースエレメントグループであってよく、又は異なる端末装置に対応する複数のリソースエレメントグループであってもよい。
【０１１６】
別の実装例において、制御チャネルに対応する複数のリソースエレメントグループのそれぞれに関しては、各リソースエレメントグループによって搬送されるダウンリンク制御情報が、そのリソースエレメントグループによって搬送される基準信号のみに基づいて復調される。具体的には、あるリソースエレメントグループによって搬送されるダウンリンク制御情報の復調が、別のリソースエレメントグループによって搬送される基準信号を利用することはない。あるいは、各リソースエレメントグループによって搬送されるダウンリンク制御情報が、１つの端末装置に対応する複数の連続したリソースエレメントグループによって搬送される複数の基準信号のみに基づいて復調される。前述の２種類のリソースエレメントグループは、自己完結型リソースエレメントグループと呼ばれる。例えば、制御チャネルに対応する、リソースエレメントグループ１及びリソースエレメントグループ２という２つのリソースエレメントグループがある場合、リソースエレメントグループ１によって搬送される基準信号が、リソースエレメントグループ１によって搬送されるダウンリンク制御情報のみを復調するのに用いられてよく、リソースエレメントグループ２によって搬送されるダウンリンク制御情報は、リソースエレメントグループ１によって搬送される基準信号を用いて復調することはできない。あるいは、制御チャネルに対応するリソースエレメントグループ１、リソースエレメントグループ２、…、リソースエレメントグループｋ（ｋは３より大きいか又はそれに等しい）という複数のリソースエレメントグループがあり、リソースエレメントグループ１、リソースエレメントグループ２、及びリソースエレメントグループ３が、１つの端末装置に対応する複数の連続したリソースエレメントグループである場合、リソースエレメントグループ１によって搬送されるダウンリンク制御情報が、リソースエレメントグループ１、リソースエレメントグループ２、及びリソースエレメントグループ３のうち任意の１つ又は複数によって搬送される基準信号に基づいて復調されてよい。
【０１１７】
さらに、本発明は任意選択的な実施形態を提供する。処理ユニット３０１は、１つのリソースブロックに含まれるリソースエレメントグループの個数を決定し、制御チャネルに対応するリソースエレメントグループを決定する。具体的には、処理ユニット３０１は、１つのリソースブロックに含まれるリソースエレメントグループの個数
【数７５】
2019525529.tif 000077
を決定する。リソースブロックは、時間領域にｌ個のシンボルを含み、周波数領域に
【数７６】
2019525529.tif 000078
個のサブキャリアを含む。ｌは１より大きいか又はそれに等しい整数であり、
【数７７】
2019525529.tif 000079
は、１より大きいか又はそれに等しい整数であり、
【数７８】
2019525529.tif 000080
は、１より大きいか又はそれに等しい整数である。また、処理ユニット３０１は、
【数７９】
2019525529.tif 000081
に基づいて制御チャネルに対応するリソースエレメントグループを決定する。
【０１１８】
さらに任意選択で、処理ユニット３０１は、１つのアンテナポートに対応するリソースエレメントの個数に基づいて、
【数８０】
2019525529.tif 000082
を決定するように構成される。アンテナポートは、基準信号に対応する少なくとも１つのアンテナポートのうちの１つであり、そのアンテナポートに対応するリソースエレメントは１つのシンボル内にあり、そのシンボルは、基準信号を搬送するリソースブロック内の複数のシンボルのうちの１つである。
【０１１９】
任意選択で、第２のリソースエレメントは、リソースエレメントグループによって占有される時間領域リソースの１つのシンボル内にある。例えば、第２のリソースエレメントは、リソースエレメントグループによって占有される時間領域リソースの第１のシンボル内、又は制御チャネルによって占有される時間領域リソースの第１のシンボル内、又は制御チャネルを搬送するサブフレームの第１のシンボル内にある。第２のリソースエレメントは、制御チャネルに対応する全てのリソースエレメントグループに含まれる第２のリソースエレメントであってよい。第２のリソースエレメントは、リソースエレメントグループによって占有される時間領域リソースの１つのシンボル内にあり、その結果、リソースエレメントグループが複数のシンボルを占有する場合には、基準信号を各シンボルに追加することなく、自己完結型リソースエレメントグループが依然として実現され得る。これにより、参照信号のオーバヘッドが削減される。
【０１２０】
具体的には、第２のリソースエレメントが、リソースエレメントグループによって占有される時間領域リソースの第１のシンボル内にある場合、リソースエレメントグループに含まれる第１のリソースエレメントの個数が、
【数８１】
2019525529.tif 000083
であり、ここで、
【数８２】
2019525529.tif 000084
であり、また、
【数８３】
2019525529.tif 000085
は、基準信号に対応するアンテナポートの個数である。
【０１２１】
さらに任意選択で、処理ユニット３０１は、リソースエレメントグループがリソースブロックの全てのシンボルに配分されることを決定するように構成され、リソースエレメントグループに含まれるリソースエレメントの個数が
【数８４】
2019525529.tif 000086
に等しい。
【０１２２】
本発明のさらに別の実施形態において、送信ユニット３０２は、制御チャネルを用いてサブフレームｎでダウンリンク制御情報を送信し、ｎは０より大きいか又はそれに等しい整数である。
【０１２３】
任意選択で、ダウンリンク制御情報はアンテナポート情報を含み、アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報であってよい。制御チャネルに対応するアンテナポートは、制御チャネルに対応する基準信号に対応するアンテナポートであってよく、さらに、リソースエレメントグループによって搬送される基準信号に対応する複数のアンテナポートに含まれ、且つ複数の端末装置のうち１つ又は複数によってダウンリンク制御情報を復調するのに用いられるアンテナポートであってよい。送信ユニットは、制御チャネルに対応するアンテナポートを示すために、ダウンリンク制御情報を動的に送信する。これで、マルチユーザＭＩＭＯ（ＭＵ−ＭＩＭＯ）をより十分にサポートすることができる。具体的には、同じリソースエレメントグループが、複数のユーザ装置に対応する制御情報又は制御チャネルを搬送するのに用いられ得るが、複数のユーザ装置はそれぞれ、基準信号に対応する異なるアンテナポートを用いて制御チャネルを復調する。
【０１２４】
本発明のこの実施形態において、システム情報が、リソースエレメントグループによって搬送される基準信号に対応するアンテナポートに関する情報又は基準信号の密度情報を示すのに用いられる。任意選択的な実施形態において、送信ユニット３０２はシステム情報を送信するように構成される。システム情報は、基準信号に対応するアンテナポートに関する情報又は基準信号の密度情報を含む。
【０１２５】
システム情報に関する異なる無線通信システムの異なる要件に基づいて、システム情報は別の種類の情報を代替的に含んでよく、このことは本明細書において具体的に限定されるものではない。システム情報は、以下の複数の種類の情報のうち１つ又は複数を含んでよい。
【０１２６】
例えば、システム情報に含まれるアンテナポートに関する情報は、基準信号に対応するアンテナポートの個数であってよい。例えば、システム情報は、リソースエレメントグループによって搬送される基準信号に対応するアンテナポートの個数が２個又は４個であることを示してよい。
【０１２７】
別の例の場合、基準信号の密度情報は、１つのリソースエレメントグループに含まれて、基準信号に用いられるリソースエレメントの個数を含んでよい。密度情報によって示される基準信号の密度が高いと、対応するリソースエレメントが多数あることを示す。密度情報によって示される密度が低いと、対応するリソースエレメントが少数しかないことを示す。密度情報は、規定の値、レベル、又は他の情報によって表されてよい。
【０１２８】
具体的には、システム情報の送信時点又は送信期間が、システム情報を搬送する情報の種類によって決まる。例えば、システム情報はマスター情報ブロック（Ｍａｓｔｅｒ  ｉｎｆｏｒｍａｔｉｏｎ  ｂｌｏｃｋ、略してＭＩＢ）によって搬送されてよく、システム情報は、ＭＩＢの送信期間又は送信時点に従って送信される。
【０１２９】
本発明のこの実施形態のネットワーク装置は、図２に対応する実施形態の方法を実行するように構成されてよい。ネットワーク装置が制御チャネルに対応するリソースエレメントグループを決定し、ダウンリンク制御情報及び基準信号を送信する具体的な実装例については、方法の実施形態の説明を参照されたい。ネットワーク装置に含まれる処理ユニット３０１、送信ユニット３０２、及び受信ユニット３０３の具体的な機能はそれぞれ、図２に対応する実施形態における機能に対応しており、これらのユニットの用語及び実装詳細は、方法の実施形態のものと同様である。
【０１３０】
実際の応用では、この実施形態におけるネットワーク装置の機能ユニットは、対応するハードウェアによって実現されてよく、又は、対応するソフトウェアを実行する対応するハードウェアによって達成されてもよいことに留意されたい。例えば、送信ユニット３０２は、送信モジュールの前述の機能を実行することが可能なハードウェア、例えば、送信機であってよく、又は、対応するコンピュータプログラムを実行して前述の機能を達成することが可能な汎用プロセッサ又は別のハードウェア装置であってもよい。別の例の場合、処理ユニット３０１は、処理モジュールの機能を実行することが可能なハードウェア、例えば、プロセッサであってよく、又は、対応するコンピュータプログラムを実行して前述の機能を達成することが可能な別のハードウェア装置であってもよい。別の例の場合、受信ユニット３０３は、受信モジュールの機能を実行することが可能なハードウェア、例えば、受信機であってよく、又は、対応するコンピュータプログラムを実行して前述の機能を達成することが可能な汎用プロセッサ又は別のハードウェア装置であってもよい。
【０１３１】
図４は、本発明の一実施形態における端末装置の実行可能な概略構造図である。
【０１３２】
端末装置は、処理ユニット４０１と、受信ユニット４０２と、送信ユニット４０３とを含む。実際の要件に基づいて、端末装置はさらに、記憶ユニット（図には示されていない）などを含んでよい。
【０１３３】
処理ユニット４０１は、制御チャネルに対応するリソースエレメントグループを決定するように構成され、リソースエレメントグループは、ダウンリンク制御情報を搬送するための第１のリソースエレメントと基準信号を搬送するための第２のリソースエレメントとを含む。リソースエレメントグループによって搬送されるダウンリンク制御情報は、基準信号に基づいて復調される。
【０１３４】
受信ユニット４０２は、ダウンリンク制御情報を制御チャネルで受信するように構成される。
【０１３５】
送信ユニット４０３は、ネットワーク装置又は別の端末装置に情報及びデータを送信するように構成される。
【０１３６】
本発明の一実施形態において、処理ユニット４０１は、制御チャネルに対応するリソースエレメントグループを決定する。制御チャネルに対応するリソースエレメントグループは、制御チャネルに対応する１つのリソースエレメントグループであってよい。この場合、処理ユニット４０１は、基準信号を用いて、リソースエレメントグループによって搬送されるダウンリンク制御情報を復調する。
【０１３７】
別の任意選択的な実施形態において、処理ユニット４０１は、制御チャネルに対応するリソースエレメントグループを決定する。制御チャネルに対応するリソースエレメントグループは代替的に、制御チャネルに対応する複数のリソースエレメントグループのそれぞれであってよい。この場合、処理ユニット４０１は、基準信号を用いて、複数のリソースエレメントグループのうち１つ又は複数によって搬送されるダウンリンク制御情報を復調する。
【０１３８】
制御チャネルに対応するリソースエレメントグループが複数のリソースエレメントグループのそれぞれであるという場合については、基準信号とダウンリンク制御情報との間に複数の関係があってよい。具体的な関係の種類については、図２に対応する方法の実施形態の説明を参照されたい。詳細はここで再度説明しない。
【０１３９】
さらに、本発明は任意選択的な実施形態を提供する。制御チャネルに対応するリソースエレメントグループを決定する場合、処理ユニット４０１はまず、１つのリソースブロックに含まれるリソースエレメントグループの個数を決定し、次に、リソースエレメントグループの個数に基づいて制御チャネルに対応するリソースエレメントグループを決定する。具体的には、処理ユニット４０１は、１つのリソースブロックに含まれるリソースエレメントグループの個数
【数８５】
2019525529.tif 000087
を決定する。リソースブロックは、時間領域にｌ個のシンボルを含み、周波数領域に
【数８６】
2019525529.tif 000088
個のサブキャリアを含む。ｌは１より大きいか又はそれに等しい整数であり、
【数８７】
2019525529.tif 000089
は、１より大きいか又はそれに等しい整数であり、
【数８８】
2019525529.tif 000090
は、１より大きいか又はそれに等しい整数である。また、処理ユニット４０１は、
【数８９】
2019525529.tif 000091
に基づいてリソースエレメントグループを決定する。
【０１４０】
さらに任意選択で、処理ユニット４０１は、１つのアンテナポートに対応するリソースエレメントの個数に基づいて、
【数９０】
2019525529.tif 000092
を決定する。アンテナポートは、基準信号に対応する少なくとも１つのアンテナポートのうちの１つであり、そのアンテナポートに対応するリソースエレメントは１つのシンボル内にあり、そのシンボルは、基準信号を搬送するリソースブロック内の複数のシンボルのうちの１つである。
【０１４１】
さらに任意選択で、第２のリソースエレメントは、リソースエレメントグループによって占有される時間領域リソースの１つのシンボル内にある。例えば、第２のリソースエレメントは、リソースエレメントグループによって占有される時間領域リソースの第１のシンボル内、又は制御チャネルによって占有される時間領域リソースの第１のシンボル内、又は制御チャネルを搬送するサブフレームの第１のシンボル内にある。
【０１４２】
具体的には、第２のリソースエレメントが、リソースエレメントグループによって占有される時間領域リソースの第１のシンボル内にある場合、リソースエレメントグループに含まれる第１のリソースエレメントの個数が、
【数９１】
2019525529.tif 000093
であり、ここで、
【数９２】
2019525529.tif 000094
であり、また、
【数９３】
2019525529.tif 000095
は、基準信号に対応するアンテナポートの個数である。
【０１４３】
さらに任意選択で、処理ユニット４０１は、リソースエレメントグループがリソースブロックの全てのシンボルに配分されることを決定し、リソースエレメントグループに含まれるリソースエレメントの個数が
【数９４】
2019525529.tif 000096
に等しい。
【０１４４】
本発明の任意選択的な実施形態において、受信ユニット４０２は、制御チャネルを用いてサブフレームｎでダウンリンク制御情報を受信し、ｎは０より大きいか又はそれに等しい整数である。
【０１４５】
任意選択で、ダウンリンク制御情報はアンテナポート情報を含み、アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報であってよい。制御チャネルに対応するアンテナポートは、制御チャネルに対応する基準信号に対応するアンテナポートであってよく、さらに、リソースエレメントグループによって搬送される基準信号に対応する複数のアンテナポートに含まれ、且つ複数の端末装置のうち１つ又は複数によってダウンリンク制御情報を復調するのに用いられるアンテナポートであってよい。送信ユニットは、ネットワーク装置によって送信されたダウンリンク制御情報を受信し、制御チャネルに対応するアンテナポートを決定する。これで、マルチユーザＭＩＭＯ（ＭＵ−ＭＩＭＯ）をより十分にサポートすることができる。具体的には、複数のユーザが、同じリソースエレメントグループを用いて制御情報又は制御チャネルを受信するが、基準信号に対応する異なるアンテナポートを用いて複数のユーザの制御チャネルを復調する。
【０１４６】
本発明のこの実施形態において、システム情報が、リソースエレメントグループによって搬送される基準信号に対応するアンテナポートに関する情報又は基準信号の密度情報を示すのに用いられる。任意選択的な実施形態において、受信ユニット４０２はシステム情報を受信する。システム情報は、基準信号に対応するアンテナポートに関する情報又は基準信号の密度情報を含む。システム情報に関する異なる無線通信システムの異なる要件に基づいて、システム情報は別の種類の情報を代替的に含んでよく、このことは本明細書において具体的に限定されるものではない。システム情報は、複数の種類の情報のうち１つ又は複数を含んでよい。システム情報の具体的な種類については、図２に対応する方法の実施形態の説明を参照されたい。詳細はここで再度説明しない。
【０１４７】
任意選択で、システム情報の受信時点又は受信期間が、システム情報を搬送する情報の種類によって決まる。例えば、システム情報はマスター情報ブロックＭＩＢによって搬送されてよく、システム情報は、ＭＩＢの送信期間又は送信時点に従って受信される。
【０１４８】
さらに別の任意選択的な実施形態において、端末装置は、ネットワーク装置によって行われるチャネル符号化後に取得される制御情報を制御チャネルで受信する。制御チャネルは以下の方式で受信されてよい。
【０１４９】
例えば、制御チャネルの伝送が個別伝送方式で行われることは、ダウンリンク制御情報ＤＣＩを搬送する制御チャネルが制御チャネルの時間−周波数リソースで伝送され、ダウンリンク制御情報ＤＣＩを搬送する制御チャネルによって占有される時間−周波数リソースが、制御チャネルの時間−周波数リソースに個別に配分されることを意味し得る。例えば、ダウンリンク制御情報ＤＣＩを搬送する制御チャネルに対応するリソースエレメントグループが、制御チャネルの時間−周波数リソースに個別に配分される。制御チャネルを個別方式で伝送することで、より多くのダイバーシティゲインを得ることができ、その結果、制御チャネルの性能を改善することができる。
【０１５０】
別の例の場合、制御チャネルの伝送が集中伝送方式で行われることは、ダウンリンク制御情報ＤＣＩを搬送する制御チャネルが制御チャネルの時間−周波数リソースで伝送され、ダウンリンク制御情報ＤＣＩを搬送する制御チャネルによって占有される時間−周波数リソースが、制御チャネルの時間−周波数リソースに集中方式で配分されることを意味し得る。例えば、ダウンリンク制御情報ＤＣＩを搬送する制御チャネルに対応するリソースエレメントグループが、制御チャネルの時間−周波数リソースの一部に集中方式で配分される。制御チャネルを集中伝送方式で伝送する間、制御チャネルを集中方式でビーム方向に対応させるために、ビームフォーミング伝送方式を用いることができ、これにより、制御チャネルのカバレッジが改善される。さらに、制御チャネルは集中伝送方式で伝送され、その結果、ユーザ装置は、集中方式で用いられるリソースに複数の基準信号を用いて、チャネル推定を行うことができ、これにより、チャネル推定性能が改善され、ビーム伝送方式に基づいて伝送される制御チャネルの性能が改善される。
【０１５１】
本発明のこの実施形態の端末装置は、図２に対応する実施形態の方法を実行するように構成されてよい。端末装置が制御チャネルに対応するリソースエレメントグループを決定し、ダウンリンク制御情報及び基準信号を受信する具体的な実装例については、方法の実施形態の説明を参照されたい。端末装置に含まれる処理ユニット４０１、受信ユニット４０２、及び送信ユニット４０３の具体的な機能はそれぞれ、図２に対応する実施形態における機能に対応しており、これらのユニットの用語及び実装詳細は、方法の実施形態のものと同様である。
【０１５２】
実際の応用では、この実施形態における端末装置の機能ユニットは、対応するハードウェアによって実現されてよく、又は、対応するソフトウェアを実行する対応するハードウェアによって達成されてもよいことに留意されたい。例えば、送信ユニット４０３は、送信モジュールの前述の機能を実行することが可能なハードウェア、例えば、送信機であってよく、又は、対応するコンピュータプログラムを実行して前述の機能を達成することが可能な汎用プロセッサ又は別のハードウェア装置であってもよい。別の例の場合、処理ユニット４０１は、処理モジュールの機能を実行することが可能なハードウェア、例えば、プロセッサであってよく、又は、対応するコンピュータプログラムを実行して前述の機能を達成することが可能な別のハードウェア装置であってもよい。別の例の場合、受信ユニット４０２は、受信モジュールの機能を実行することが可能なハードウェア、例えば、受信機であってよく、又は、対応するコンピュータプログラムを実行して前述の機能を達成することが可能な汎用プロセッサ又は別のハードウェア装置であってもよい。
【０１５３】
本発明の全ての実施形態におけるシンボルは、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、略してＳＣ−ＦＤＭＡ）のシンボルであってよく、又は直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）のシンボルであってもよいことに留意されたい。本発明の実施形態における基準信号は、復調基準信号（Ｄｅｍｏｄｕｌａｔｉｏｎ  Ｒｅｆｅｒｅｎｃｅ  ｓｉｇｎａｌ、略してＤＭＲＳ）であってよい。
【０１５４】
本明細書全体にわたって言及される「１つの実施形態」、「一実施形態」、又は「本発明の一実施形態」は、その実施形態に関連した特定の機能、構造、又は特徴が本発明の少なくとも１つの実施形態に含まれていることを意味するものと理解されるべきである。したがって、本明細書全体に現われる「１つの実施形態」、「一実施形態」、又は「本発明の一実施形態」は、必ずしも同じ実施形態を意味するものではない。さらに、特定の機能、構造、又は特徴は、任意の適切な方式で１つ又は複数の実施形態に組み合わされてもよい。
【０１５５】
前述のプロセスの連続番号は、本発明の実施形態における実行順序を意味するものではないことが理解されるべきである。プロセスの実行順序は、プロセスの機能及び内部論理に基づいて決定されるべきであり、本発明の実施形態の実装プロセスに対するいかなる限定としても解釈されるべきではない。
【０１５６】
さらに、「システム」及び「ネットワーク」という用語は、本明細書において区別なく用いられ得る。本明細書における「及び／又は」という用語は、説明する関連対象物の相関関係のみを説明しており、３つの関係が存在し得ることを表していると理解されるべきである。例えば、Ａ及び／又はＢは、Ａのみが存在する、Ａ及びＢの両方が存在する、Ｂのみが存在するという３つの場合を表し得る。さらに、本明細書における「／」という記号は、概して、関連対象物間の「又は」の関係を示す。
【０１５７】
本出願の実施形態において、「Ａに対応するＢ」は、ＢがＡと関連付けられており、ＢがＡに基づいて決定され得ることを示していると理解されるべきである。しかしながら、Ａに基づいてＢを決定することは、ＢがＡのみに基づいて決定されることを意味するものではないこともさらに理解されるべきである。すなわち、Ｂは、Ａ及び／又は他の情報に基づいて決定されてもよい。
【０１５８】
当業者であれば、本明細書で開示された実施形態を参照して説明された各実施例のユニット及び段階が、電子的ハードウェア、コンピュータソフトウェア、又はこれらの組み合わせによって実現され得ることを認識し得る。ハードウェアとソフトウェアとの間の互換性を明確に説明するために、前述の事項では概して、各実施例の構成及び段階を機能に従って説明している。それらの機能がハードウェアで実行されるのか、又はソフトウェアで実行されるのかは、特定の用途と、技術的解決手段の設計制約条件とによって決まる。当業者であれば、異なる方法を用いて、説明された機能を特定の用途ごとに実装することができるが、その実装例は本発明の範囲を越えるものとみなされるべきではない。
【０１５９】
本出願で提供されたいくつかの実施形態において、示された又は論じられた相互結合、又は直接結合、又は通信接続は、いくつかのインタフェースを用いて実現され得る。装置間又はユニット間の間接的結合又は通信接続は、電気的な形式、機械的な形式、又は他の形式で実現されてよい。
【０１６０】
別個の構成要素として説明されたユニットは、物理的に分かれていてもいなくてもよく、またユニットとして示された構成要素が物理的なユニットであってもなくてもよく、あるいは1か所に配置されていてもよく、又は複数のネットワークユニットに分散されていてもよい。これらのユニットの一部又は全てが、各実施形態の解決手段の目的を達成するために、実際の必要性に基づいて選択されてよい。
【０１６１】
統合されたユニットがソフトウェア機能ユニットの形で実現され、別個の製品として販売されるか又は使用される場合、統合されたユニットは、コンピュータ可読記憶媒体に格納されてよい。そのような理解に基づいて、本質的には本発明の技術的解決手段、又は先行技術に寄与する部分、又は技術的解決手段の一部が、ソフトウェア製品の形で実現されてよい。ソフトウェア製品は、記憶媒体に格納され、本発明の実施形態で説明された方法の段階の全て又は一部を実行するようにコンピュータ装置（これは、パーソナルコンピュータ、サーバ、ネットワーク装置などであってよい）に命令するためのいくつかの命令を含む。前述の記憶媒体には、プログラムコードを格納できるあらゆる媒体、例えば、ＵＳＢフラッシュドライブ、着脱可能なハードディスク、リードオンリメモリ（Ｒｅａｄ−Ｏｎｌｙ  Ｍｅｍｏｒｙ、略してＲＯＭ）、ランダムアクセスメモリ（Ｒａｎｄｏｍ  Ａｃｃｅｓｓ  Ｍｅｍｏｒｙ、略してＲＡＭ）、磁気ディスク、又は光ディスクなどが含まれる。
【０１６２】
説明されたことは、本発明の具体的な実装例に過ぎず、本発明の保護範囲を限定する意図はない。本発明で開示された技術的範囲内で当業者が容易に考え出すあらゆる変形又は置き換えは、本発明の保護範囲に含まれるものとする。したがって、本発明の保護範囲は、特許請求の範囲の保護範囲によって決まるものとする。
【図１】
2019525529.tif 000153
【図２】
2019525529.tif 000154
【図３】
2019525529.tif 000155
【図４】
2019525529.tif 000156
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
制御情報を送信するための方法であって、
ネットワーク装置によって、制御チャネルに対応するリソースエレメントグループを決定する段階であって、前記リソースエレメントグループは、ダウンリンク制御情報を搬送するための第１のリソースエレメントと基準信号を搬送するための第２のリソースエレメントとを含み、前記基準信号は、前記リソースエレメントグループによって搬送される前記ダウンリンク制御情報を復調するのに用いられる、段階と、
前記ネットワーク装置によって、前記制御チャネルを用いて前記ダウンリンク制御情報を送信する段階と
を備え、
前記リソースエレメントグループに含まれる複数のリソースエレメントが、前記制御チャネルによって占有される時間領域リソースの全てのシンボルに配分される、方法。
【請求項２】
前記ネットワーク装置によって第１のシグナリングを送信する段階を備え、
前記第１のシグナリングは、前記リソースエレメントグループによって搬送される前記基準信号のみに基づいて、前記リソースエレメントグループによって搬送される前記ダウンリンク制御情報を復調するよう端末装置に命令するのに用いられるか、又は、
前記第１のシグナリングは、前記リソースエレメントグループによって搬送される前記基準信号と前記リソースエレメントグループ以外の別のリソースエレメントグループによって搬送される基準信号とに基づいて、前記リソースエレメントグループによって搬送される前記ダウンリンク制御情報を復調するよう端末装置に命令するのに用いられ、前記別のリソースエレメントグループは前記制御チャネルに対応している、請求項１に記載の方法。
【請求項３】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項１又は２に記載の方法。
【請求項４】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項１から３のいずれか一項に記載の方法。
【請求項５】
制御チャネルに対応する前記リソースエレメントグループは、前記制御チャネルに対応する複数のリソースエレメントグループのそれぞれである、請求項１から４のいずれか一項に記載の方法。
【請求項６】
前記リソースエレメントグループによって搬送される前記ダウンリンク制御情報は、前記リソースエレメントグループによって搬送される前記基準信号のみに基づいて復調されるか、又は、
前記リソースエレメントグループによって搬送される前記ダウンリンク制御情報は、前記リソースエレメントグループによって搬送される前記基準信号と前記リソースエレメントグループ以外の別のリソースエレメントグループによって搬送される基準信号とに基づいて復調され、前記別のリソースエレメントグループは前記制御チャネルに対応している、請求項１から５のいずれか一項に記載の方法。
【請求項７】
制御情報を受信するための方法であって、
端末装置によって、制御チャネルに対応するリソースエレメントグループを決定する段階であって、前記リソースエレメントグループは、ダウンリンク制御情報を搬送するための第１のリソースエレメントと基準信号を搬送するための第２のリソースエレメントとを含み、前記リソースエレメントグループによって搬送される前記ダウンリンク制御情報は前記基準信号に基づいて復調される、段階と、
前記端末装置によって前記ダウンリンク制御情報を前記制御チャネルで受信する段階と
を備え、
前記リソースエレメントグループに含まれる複数のリソースエレメントが、前記制御チャネルによって占有される時間領域リソースの全てのシンボルに配分される、方法。
【請求項８】
前記端末装置によって第１のシグナリングを受信して、前記リソースエレメントグループによって搬送される前記ダウンリンク制御情報を前記第１のシグナリングに基づいて復調する段階を備える、請求項７に記載の方法。
【請求項９】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項７又は８に記載の方法。
【請求項１０】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項７から９のいずれか一項に記載の方法。
【請求項１１】
前記リソースエレメントグループによって搬送される前記ダウンリンク制御情報は、前記基準信号のみに基づいて復調される、請求項７から１０のいずれか一項に記載の方法。
【請求項１２】
前記リソースエレメントグループによって搬送される前記ダウンリンク制御情報は、前記リソースエレメントグループによって搬送される前記基準信号と前記リソースエレメントグループ以外の別のリソースエレメントグループによって搬送される基準信号とに基づいて復調され、前記別のリソースエレメントグループは前記制御チャネルに対応している、請求項７から１０のいずれか一項に記載の方法。
【請求項１３】
前記基準信号は、前記リソースエレメントグループ以外の別のリソースエレメントグループによって搬送されるダウンリンク制御情報を復調するのに用いられ、前記別のリソースエレメントグループは前記制御チャネルに対応している、請求項７から１０及び１２のいずれか一項に記載の方法。
【請求項１４】
制御チャネルに対応するリソースエレメントグループを決定するように構成された処理ユニットであって、前記リソースエレメントグループは、ダウンリンク制御情報を搬送するための第１のリソースエレメントと基準信号を搬送するための第２のリソースエレメントとを含み、前記基準信号は、前記リソースエレメントグループによって搬送される前記ダウンリンク制御情報を復調するのに用いられる、処理ユニットと、
前記制御チャネルを用いて前記ダウンリンク制御情報を送信するように構成された送信ユニットと
を備え、
前記リソースエレメントグループに含まれる複数のリソースエレメントが、前記制御チャネルによって占有される時間領域リソースの全てのシンボルに配分される、ネットワーク装置。
【請求項１５】
前記送信ユニットは、第１のシグナリングを送信するように構成され、
前記第１のシグナリングは、前記リソースエレメントグループによって搬送される前記基準信号のみに基づいて、前記リソースエレメントグループによって搬送される前記ダウンリンク制御情報を復調するよう端末装置に命令するのに用いられるか、又は、
前記第１のシグナリングは、前記リソースエレメントグループによって搬送される前記基準信号と前記リソースエレメントグループ以外の別のリソースエレメントグループによって搬送される基準信号とに基づいて、前記リソースエレメントグループによって搬送される前記ダウンリンク制御情報を復調するよう端末装置に命令するのに用いられ、前記別のリソースエレメントグループは前記制御チャネルに対応している、請求項１４に記載のネットワーク装置。
【請求項１６】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項１４又は１５に記載のネットワーク装置。
【請求項１７】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項１４から１６のいずれか一項に記載のネットワーク装置。
【請求項１８】
制御チャネルに対応する前記リソースエレメントグループは、前記制御チャネルに対応する複数のリソースエレメントグループのそれぞれである、請求項１４から１７のいずれか一項に記載のネットワーク装置。
【請求項１９】
前記リソースエレメントグループによって搬送される前記ダウンリンク制御情報は、前記リソースエレメントグループによって搬送される前記基準信号のみに基づいて復調されるか、又は、
前記リソースエレメントグループによって搬送される前記ダウンリンク制御情報は、前記リソースエレメントグループによって搬送される前記基準信号と前記リソースエレメントグループ以外の別のリソースエレメントグループによって搬送される基準信号とに基づいて復調され、前記別のリソースエレメントグループは前記制御チャネルに対応している、請求項１４から１８のいずれか一項に記載のネットワーク装置。
【請求項２０】
制御チャネルに対応するリソースエレメントグループを決定するように構成された処理ユニットであって、前記リソースエレメントグループは、ダウンリンク制御情報を搬送するための第１のリソースエレメントと基準信号を搬送するための第２のリソースエレメントとを含み、前記リソースエレメントグループによって搬送される前記ダウンリンク制御情報は、前記基準信号に基づいて復調される、処理ユニットと、
前記ダウンリンク制御情報を前記制御チャネルで受信するように構成された受信ユニットと
を備え、
前記リソースエレメントグループに含まれる複数のリソースエレメントが、前記制御チャネルによって占有される時間領域リソースの全てのシンボルに配分される、端末装置。
【請求項２１】
前記受信ユニットは、第１のシグナリングを受信するように構成され、
前記処理ユニットは、前記第１のシグナリングに基づいて、前記リソースエレメントグループによって搬送される前記ダウンリンク制御情報を復調するように構成される、
請求項２０に記載の端末装置。
【請求項２２】
前記リソースエレメントグループに含まれるリソースエレメントの個数が、前記リソースエレメントグループによって占有されるシンボルの個数に正比例するか、又は、
前記リソースエレメントグループに含まれるリソースエレメントの個数が、前記制御チャネルによって占有されるシンボルの個数に正比例する、請求項２０又は２１に記載の端末装置。
【請求項２３】
前記リソースエレメントグループによって占有される周波数領域リソースが、前記リソースエレメントグループによって占有される全てのシンボルにおいて同じであるか、又は、
前記リソースエレメントグループによって占有される周波数領域リソースが、前記制御チャネルによって占有される全てのシンボルにおいて同じである、請求項２０から２２のいずれか一項に記載の端末装置。
【請求項２４】
前記リソースエレメントグループによって搬送される前記ダウンリンク制御情報は、前記基準信号のみに基づいて復調される、請求項２０から２３のいずれか一項に記載の端末装置。
【請求項２５】
前記リソースエレメントグループによって搬送される前記ダウンリンク制御情報は、前記リソースエレメントグループによって搬送される前記基準信号と前記リソースエレメントグループ以外の別のリソースエレメントグループによって搬送される基準信号とに基づいて復調され、前記別のリソースエレメントグループは前記制御チャネルに対応している、請求項２０から２３のいずれか一項に記載の端末装置。
【請求項２６】
前記基準信号は、前記リソースエレメントグループ以外の別のリソースエレメントグループによって搬送されるダウンリンク制御情報を復調するのに用いられ、前記別のリソースエレメントグループは前記制御チャネルに対応している、請求項２０から２３及び２５のいずれか一項に記載の端末装置。
【請求項２７】
プロセッサとメモリとを備える装置であって、
前記メモリはコンピュータ命令を格納し、前記プロセッサは前記メモリに格納された前記コンピュータ命令を実行して、前記装置が請求項１から６のいずれか一項に記載の方法を実施することを可能にする、装置。
【請求項２８】
プロセッサとメモリとを備える装置であって、
前記メモリはコンピュータ命令を格納し、前記プロセッサは前記メモリに格納された前記コンピュータ命令を実行して、前記装置が請求項７から１３のいずれか一項に記載の方法を実施することを可能にする、装置。
【請求項２９】
コンピュータ記憶媒体であって、コンピュータプログラムが前記コンピュータ記憶媒体に格納され、前記コンピュータプログラムがプロセッサによって実行された場合、請求項１から６のいずれか一項に記載の方法が実施される、コンピュータ記憶媒体。
【請求項３０】
コンピュータ記憶媒体であって、コンピュータプログラムが前記コンピュータ記憶媒体に格納され、前記コンピュータプログラムがプロセッサによって実行された場合、請求項７から１３のいずれか一項に記載の方法が実施される、コンピュータ記憶媒体。
【請求項３１】
請求項１から６のいずれか一項に記載の方法をコンピュータに実行させるためのコンピュータプログラム。
【請求項３２】
請求項７から１３のいずれか一項に記載の方法をコンピュータに実行させるためのコンピュータプログラム。
【手続補正２】
【補正対象書類名】明細書
【補正対象項目名】００３６
【補正方法】変更
【補正の内容】
【００３６】
任意選択で、送信ユニットは、制御チャネルを用いてサブフレームｎでダウンリンク制御情報を送信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【手続補正３】
【補正対象書類名】明細書
【補正対象項目名】００４７
【補正方法】変更
【補正の内容】
【００４７】
任意選択で、受信ユニットは、制御チャネルを用いてサブフレームｎでダウンリンク制御情報を受信し、ｎは０より大きいか又はそれに等しい整数である。ダウンリンク制御情報はアンテナポート情報を含む。アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報である。
【手続補正４】
【補正対象書類名】明細書
【補正対象項目名】００５７
【補正方法】変更
【補正の内容】
【００５７】
本発明の実施形態は、第５世代（５Ｇ）、新無線（ＮＲ）、ロングタームエボリューション（ＬＴＥ）などの通信システムに適用され得る。ＮＲは、新無線接続技術、又は新無線接続技術を用いるシステムである。ＮＲ（Ｎｅｗ  Ｒａｄｉｏ）通信システムでは、制御情報が制御チャネルを用いて伝送され、制御チャネルは、リソースエレメントグループ（Ｒｅｓｏｕｒｃｅ Ｅｌｅｍｅｎｔ  Ｇｒｏｕｐ、略してＲＥＧ）及び／又は制御チャネルエレメント（Ｃｏｎｔｒｏｌ  Ｃｈａｎｎｅｌ  Ｅｌｅｍｅｎｔ、略してＣＣＥ）を用いて画定されてよい。リソースエレメントグループは、複数のリソースエレメントの組み合わせであってよい。制御チャネルエレメントは、複数のリソースエレメントグループの組み合わせであってよい。ＮＲ通信システムのＲＥＧはＮＲ−ＲＥＧと呼ばれることもあり、ＮＲ通信システムのＣＣＥはＮＲ−ＣＣＥと呼ばれることもある。本発明の通信システムへの応用は主に、図１に示すように、ネットワーク装置１０１と端末装置１０２との間のダウンリンク制御情報の送信を含む。
【手続補正５】
【補正対象書類名】明細書
【補正対象項目名】００５８
【補正方法】変更
【補正の内容】
【００５８】
本発明の実施形態におけるネットワーク装置１０１は、ネットワーク側のネットワークエレメントであり、基地局、アクセスポイント、コアネットワークエレメント、又はアクセスネットワークエレメントであってよいことに留意されたい。基地局は、受信した無線フレーム及びインターネットプロトコル（Ｉｎｔｅｒｎｅｔ  Ｐｒｏｔｏｃｏｌ、略してＩＰ）パケットに対して相互変換を行うように構成され、無線端末とアクセスネットワークの残りの部分との間のルータの役割を果たしてよい。アクセスネットワークの残りの部分には、ＩＰネットワークが含まれてよい。基地局はさらに、無線インタフェースの属性管理を調整してよい。例えば、基地局は、移動体通信用グローバルシステム（Ｇｌｏｂａｌ  Ｓｙｓｔｅｍ  ｆｏｒ  Ｍｏｂｉｌｅ  ｃｏｍｍｕｎｉｃａｔｉｏｎｓ、略してＧＳＭ（登録商標））又は符号分割多元接続（Ｃｏｄｅ  Ｄｉｖｉｓｉｏｎ  Ｍｕｌｔｉｐｌｅ  Ａｃｃｅｓｓ、略してＣＤＭＡ）における基地局（Ｂａｓｅ  Ｔｒａｎｓｃｅｉｖｅｒ  Ｓｔａｔｉｏｎ、略してＢＴＳ）であってよく、あるいは、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、略してＷＣＤＭＡ（登録商標））におけるＮｏｄｅＢ（ＮｏｄｅＢ）であってもよく、あるいは、ＬＴＥにおける進化型ＮｏｄｅＢ（ｅＮＢ又はｅ−ＮｏｄｅＢ、進化型Ｎｏｄｅ  Ｂ）であってもよく、あるいは、将来の５Ｇ、ＮＲ、又はＬＴＥシステムにおけるネットワーク側の新しいネットワークエレメントであってもよい。これについては、本出願において限定されるものではない。
【手続補正６】
【補正対象書類名】明細書
【補正対象項目名】００５９
【補正方法】変更
【補正の内容】
【００５９】
本発明の実施形態における端末装置１０２は、ユーザに音声接続及び／又はデータ接続を提供する装置、無線接続機能を備えたハンドヘルド型装置、又は無線モデムに接続された別の処理装置であってよいことに留意されたい。無線装置又は無線ユニットは、携帯電話（又は「セルラー方式」の電話と呼ばれる）や、移動端末を有するコンピュータなどの移動端末であってよく、例えば、携帯用移動体装置、ポケットサイズ型移動体装置、ハンドヘルド型移動体装置、コンピュータ内蔵型移動体装置、又は車載型移動体装置であってよい。また、無線装置又は無線ユニットは、無線アクセスネットワークと音声及び／又はデータをやり取りする。例えば、無線装置又は無線ユニットは、パーソナル通信サービス（Ｐｅｒｓｏｎａｌ  Ｃｏｍｍｕｎｉｃａｔｉｏｎ  Ｓｅｒｖｉｃｅ、略してＰＣＳ）電話、コードレス電話、セッション開始プロトコル電話、無線ローカルループ（Ｗｉｒｅｌｅｓｓ  Ｌｏｃａｌ  Ｌｏｏｐ、略してＷＬＬ）局、又は携帯情報端末（Ｐｅｒｓｏｎａｌ  Ｄｉｇｉｔａｌ  Ａｓｓｉｓｔａｎｔ、略してＰＤＡ）などの装置であってよい。無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動体コンソール（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、端末装置（例えば、Ｕｓｅｒ  Ｄｅｖｉｃｅ）、又はユーザ機器（Ｕｓｅｒ  Ｅｑｕｉｐｍｅｎｔ、略してＵＥ）と呼ばれることもある。
【手続補正７】
【補正対象書類名】明細書
【補正対象項目名】０１４５
【補正方法】変更
【補正の内容】
【０１４５】
任意選択で、ダウンリンク制御情報はアンテナポート情報を含み、アンテナポート情報は、サブフレームｎ＋ｋで搬送される制御チャネルに対応するアンテナポートを示すのに用いられ、ｋは０より大きいか又はそれに等しい整数である。アンテナポート情報は、複数の端末装置にそれぞれ対応するアンテナポートに関する情報であってよい。制御チャネルに対応するアンテナポートは、制御チャネルに対応する基準信号に対応するアンテナポートであってよく、さらに、リソースエレメントグループによって搬送される基準信号に対応する複数のアンテナポートに含まれ、且つ複数の端末装置のうち１つ又は複数によってダウンリンク制御情報を復調するのに用いられるアンテナポートであってよい。受信ユニット４０２は、ネットワーク装置によって送信されたダウンリンク制御情報を受信し、制御チャネルに対応するアンテナポートを決定する。これで、マルチユーザＭＩＭＯ（ＭＵ−ＭＩＭＯ）をより十分にサポートすることができる。具体的には、複数のユーザが、同じリソースエレメントグループを用いて制御情報又は制御チャネルを受信するが、基準信号に対応する異なるアンテナポートを用いて複数のユーザの制御チャネルを復調する。
【手続補正８】
【補正対象書類名】明細書
【補正対象項目名】０１５３
【補正方法】変更
【補正の内容】
【０１５３】
本発明の全ての実施形態におけるシンボルは、シングルキャリア周波数分割多元接続（Ｓｉｎｇｌｅ  Ｃａｒｒｉｅｒ  Ｆｒｅｑｕｅｎｃｙ Ｄｉｖｉｓｉｏｎ  Ｍｕｌｔｉｐｌｅ  Ａｃｃｅｓｓ、略してＳＣ−ＦＤＭＡ）のシンボルであってよく、又は直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、略してＯＦＤＭ）のシンボルであってもよいことに留意されたい。本発明の実施形態における基準信号は、復調基準信号（Ｄｅｍｏｄｕｌａｔｉｏｎ  Ｒｅｆｅｒｅｎｃｅ  ｓｉｇｎａｌ、略してＤＭＲＳ）であってよい。
【手続補正９】
【補正対象書類名】明細書
【補正対象項目名】０１６２
【補正方法】変更
【補正の内容】
【０１６２】
説明されたことは、本発明の具体的な実装例に過ぎず、本発明の保護範囲を限定する意図はない。本発明で開示された技術的範囲内で当業者が容易に考え出すあらゆる変形又は置き換えは、本発明の保護範囲に含まれるものとする。したがって、本発明の保護範囲は、特許請求の範囲の保護範囲によって決まるものとする。
（項目１）
制御情報を送信するための方法であって、
ネットワーク装置によって、制御チャネルに対応するリソースエレメントグループを決定する段階であって、上記リソースエレメントグループは、ダウンリンク制御情報を搬送するための第１のリソースエレメントと基準信号を搬送するための第２のリソースエレメントとを含み、上記基準信号は、上記リソースエレメントグループによって搬送される上記ダウンリンク制御情報を復調するのに用いられる、段階と、
上記ネットワーク装置によって、上記制御チャネルを用いて上記ダウンリンク制御情報を送信する段階と
を備える、方法。
（項目２）
上記リソースエレメントグループによって搬送される上記ダウンリンク制御情報は、上記リソースエレメントグループによって搬送される上記基準信号のみに基づいて復調される、項目１に記載の方法。
（項目３）
上記リソースエレメントグループに含まれるリソースエレメントの個数が、上記リソースエレメントグループによって占有されるシンボルの個数に正比例するか、又は、
上記リソースエレメントグループに含まれるリソースエレメントの個数が、上記制御チャネルによって占有されるシンボルの個数に正比例する、項目１又は２に記載の方法。
（項目４）
上記リソースエレメントグループに含まれる複数のリソースエレメントが、上記制御チャネルによって占有される時間領域リソースのシンボルの一部、又は上記制御チャネルによって占有される時間領域リソースの全てのシンボルに配分される、項目１又は２に記載の方法。
（項目５）
上記リソースエレメントグループによって占有される周波数領域リソースが、上記リソースエレメントグループによって占有される全てのシンボルにおいて同じであるか、又は、
上記リソースエレメントグループによって占有される周波数領域リソースが、上記制御チャネルによって占有される全てのシンボルにおいて同じである、項目１から４のいずれか一項に記載の方法。
（項目６）
ネットワーク装置によって、制御チャネルに対応するリソースエレメントグループを決定する上記段階は、
上記ネットワーク装置によって、１つのリソースブロックに含まれるリソースエレメントグループの個数
【数９５】
2019525529.tif 000157
を決定する段階であって、上記リソースブロックは時間領域にｌ個のシンボルを含み、周波数領域に
【数９６】
2019525529.tif 000158
個のサブキャリアを含み、ｌは１より大きいか又はそれに等しい整数であり、
【数９７】
2019525529.tif 000159
は、１より大きいか又はそれに等しい整数であり、
【数９８】
2019525529.tif 000160
は、１より大きいか又はそれに等しい整数である、段階と、
上記リソースエレメントグループを
【数９９】
2019525529.tif 000161
に基づいて決定する段階と
を有する、項目１から５のいずれか一項に記載の方法。
（項目７）
上記ネットワーク装置によって、１つのリソースブロックに含まれるリソースエレメントグループの個数
【数１００】
2019525529.tif 000162
を決定する上記段階は、
上記ネットワーク装置によって、１つのアンテナポートに対応するリソースエレメントの個数に基づいて、
【数１０１】
2019525529.tif 000163
を決定する段階を有し、上記アンテナポートは、上記基準信号に対応する少なくとも１つのアンテナポートのうちの１つであり、上記アンテナポートに対応する上記リソースエレメントは１つのシンボル内にあり、上記１つのシンボルは、上記リソースブロック内にあり且つ上記基準信号を搬送する複数のシンボルのうちの１つである、項目６に記載の方法。
（項目８）
上記リソースエレメントグループを
【数１０２】
2019525529.tif 000164
に基づいて決定する上記段階は、
上記リソースエレメントグループに含まれるリソースエレメントの個数を
【数１０３】
2019525529.tif 000165
に基づいて決定する段階を有し、上記リソースエレメントグループに含まれる上記リソースエレメントの個数は
【数１０４】
2019525529.tif 000166
に等しい、項目６又は７に記載の方法。
（項目９）
上記リソースエレメントグループに含まれる第１のリソースエレメントの個数が
【数１０５】
2019525529.tif 000167
であり、ここで、
【数１０６】
2019525529.tif 000168
であり、また、
【数１０７】
2019525529.tif 000169
は、上記基準信号に対応するアンテナポートの個数である、項目８に記載の方法。
（項目１０）
上記制御チャネルは１つのシンボルを占有し、１つの制御チャネルエレメントに含まれるリソースエレメントグループの個数が
【数１０８】
2019525529.tif 000170
であるか、又は、
上記制御チャネルはｌ個のシンボルを占有し、１つの制御チャネルエレメントに含まれるリソースエレメントグループの個数が
【数１０９】
2019525529.tif 000171
である、項目９に記載の方法。
（項目１１）
上記基準信号は、上記リソースエレメントグループによって搬送される上記ダウンリンク制御情報を復調するのに用いられ、及び／又は、上記リソースエレメントグループ以外の別のリソースエレメントグループによって搬送されるダウンリンク制御情報を復調するのに用いられ、上記別のリソースエレメントグループは上記制御チャネルに対応している、項目１に記載の方法。
（項目１２）
上記第２のリソースエレメントは、上記リソースエレメントグループによって占有される時間領域リソースの１つのシンボル内にある、項目１から１１のいずれか一項に記載の方法。
（項目１３）
上記１つのシンボルは、上記リソースエレメントグループによって占有される上記時間領域リソース内の上記第１のシンボルである、項目１２に記載の方法。
（項目１４）
上記ネットワーク装置によってシステム情報を送信する段階を備え、上記システム情報は、上記基準信号に対応するアンテナポートに関する情報又は上記基準信号の密度情報を含む、項目１から１３のいずれか一項に記載の方法。
（項目１５）
上記ネットワーク装置によって第１のシグナリングを送信する段階を備え、
上記第１のシグナリングは、上記リソースエレメントグループによって搬送される上記基準信号のみに基づいて、上記リソースエレメントグループによって搬送される上記ダウンリンク制御情報を復調するよう端末装置に命令するのに用いられるか、又は、
上記第１のシグナリングは、上記リソースエレメントグループによって搬送される上記基準信号と上記リソースエレメントグループ以外の上記別のリソースエレメントグループによって搬送される基準信号とに基づいて、上記リソースエレメントグループによって搬送される上記ダウンリンク制御情報を復調するよう端末装置に命令するのに用いられ、上記別のリソースエレメントグループは上記制御チャネルに対応している、項目１から１４のいずれか一項に記載の方法。
（項目１６）
制御情報を受信するための方法であって、
端末装置によって、制御チャネルに対応するリソースエレメントグループを決定する段階であって、上記リソースエレメントグループは、ダウンリンク制御情報を搬送するための第１のリソースエレメントと基準信号を搬送するための第２のリソースエレメントとを含み、上記端末装置は、上記基準信号に基づいて、上記リソースエレメントグループによって搬送される上記ダウンリンク制御情報を復調する、段階と、
上記端末装置によって上記ダウンリンク制御情報を上記制御チャネルで受信する段階と
を備える、方法。
（項目１７）
上記端末装置は、上記リソースエレメントグループによって搬送される上記基準信号のみに基づいて、上記リソースエレメントグループによって搬送される上記ダウンリンク制御情報を復調する、項目１６に記載の方法。
（項目１８）
上記端末装置によって第１のシグナリングを受信して、上記リソースエレメントグループによって搬送される上記ダウンリンク制御情報を上記第１のシグナリングに基づいて復調する段階を備える、項目１６又は１７に記載の方法。
（項目１９）
上記リソースエレメントグループに含まれるリソースエレメントの個数が、上記リソースエレメントグループによって占有されるシンボルの個数に正比例するか、又は、
上記リソースエレメントグループに含まれるリソースエレメントの個数が、上記制御チャネルによって占有されるシンボルの個数に正比例する、項目１６から１８のいずれか一項に記載の方法。
（項目２０）
上記リソースエレメントグループに含まれる複数のリソースエレメントが、上記制御チャネルによって占有される時間領域リソースのシンボルの一部、又は上記制御チャネルによって占有される時間領域リソースの全てのシンボルに配分される、項目１６から１９のいずれか一項に記載の方法。
（項目２１）
上記リソースエレメントグループによって占有される周波数領域リソースが、上記リソースエレメントグループによって占有される全てのシンボルにおいて同じであるか、又は、
上記リソースエレメントグループによって占有される周波数領域リソースが、上記制御チャネルによって占有される全てのシンボルにおいて同じである、項目１６から２０のいずれか一項に記載の方法。
（項目２２）
端末装置によって、制御チャネルに対応するリソースエレメントグループを決定する上記段階は、
上記端末装置によって、１つのリソースブロックに含まれるリソースエレメントグループの個数
【数１１０】
2019525529.tif 000172
を決定する段階であって、上記リソースブロックは時間領域にｌ個のシンボルを含み、周波数領域に
【数１１１】
2019525529.tif 000173
個のサブキャリアを含み、ｌは１より大きいか又はそれに等しい整数であり、
【数１１２】
2019525529.tif 000174
は、１より大きいか又はそれに等しい整数であり、
【数１１３】
2019525529.tif 000175
は、１より大きいか又はそれに等しい整数である、段階と、
上記リソースエレメントグループを
【数１１４】
2019525529.tif 000176
に基づいて決定する段階と
を有する、項目１６から２１のいずれか一項に記載の方法。
（項目２３）
上記端末装置によって、１つのリソースブロックに含まれるリソースエレメントグループの個数
【数１１５】
2019525529.tif 000177
を決定する上記段階は、
上記端末装置によって、１つのアンテナポートに対応するリソースエレメントの個数に基づいて、
【数１１６】
2019525529.tif 000178
を決定する段階を有し、上記アンテナポートは、上記基準信号に対応する少なくとも１つのアンテナポートのうちの１つであり、上記アンテナポートに対応する上記リソースエレメントは１つのシンボル内にあり、上記１つのシンボルは、上記リソースブロック内にあり且つ上記基準信号を搬送する複数のシンボルのうちの１つである、項目２２に記載の方法。
（項目２４）
上記リソースエレメントグループを
【数１１７】
2019525529.tif 000179
に基づいて決定する上記段階は、
上記リソースエレメントグループに含まれるリソースエレメントの個数を
【数１１８】
2019525529.tif 000180
に基づいて決定する段階を有し、上記リソースエレメントグループに含まれる上記リソースエレメントの個数は
【数１１９】
2019525529.tif 000181
に等しい、項目２２又は２３に記載の方法。
（項目２５）
上記リソースエレメントグループに含まれる第１のリソースエレメントの個数が
【数１２０】
2019525529.tif 000182
であり、ここで、
【数１２１】
2019525529.tif 000183
であり、また、
【数１２２】
2019525529.tif 000184
は、上記基準信号に対応するアンテナポートの個数である、項目２４に記載の方法。
（項目２６）
上記制御チャネルは１つのシンボルを占有し、１つの制御チャネルエレメントに含まれるリソースエレメントグループの個数が
【数１２３】
2019525529.tif 000185
であるか、又は、
上記制御チャネルはｌ個のシンボルを占有し、１つの制御チャネルエレメントに含まれるリソースエレメントグループの個数が
【数１２４】
2019525529.tif 000186
である、項目２５に記載の方法。
（項目２７）
上記リソースエレメントグループ以外の上記別のリソースエレメントグループによって搬送される基準信号に基づいて、上記リソースエレメントグループによって搬送される上記ダウンリンク制御情報を上記端末装置によって復調する段階を備え、上記別のリソースエレメントグループは上記制御チャネルに対応している、項目１６に記載の方法。
（項目２８）
上記第２のリソースエレメントは、上記リソースエレメントグループによって占有される時間領域リソースの１つのシンボル内にある、項目１６から２７のいずれか一項に記載の方法。
（項目２９）
上記１つのシンボルは、上記リソースエレメントグループによって占有される上記時間領域リソース内の上記第１のシンボルである、項目２８に記載の方法。
（項目３０）
上記端末装置によってシステム情報を受信する段階を備え、上記システム情報は、上記基準信号に対応するアンテナポートに関する情報又は上記基準信号の密度情報を含む、項目１６から２９のいずれか一項に記載の方法。
（項目３１）
制御チャネルに対応するリソースエレメントグループを決定するように構成された処理ユニットであって、上記リソースエレメントグループは、ダウンリンク制御情報を搬送するための第１のリソースエレメントと基準信号を搬送するための第２のリソースエレメントとを含み、上記基準信号は、上記リソースエレメントグループによって搬送される上記ダウンリンク制御情報を復調するのに用いられる、処理ユニットと、
上記制御チャネルを用いて上記ダウンリンク制御情報を送信するように構成された送信ユニットと
を備える、ネットワーク装置。
（項目３２）
上記リソースエレメントグループによって搬送される上記ダウンリンク制御情報は、上記リソースエレメントグループによって搬送される上記基準信号のみに基づいて復調される、項目３１に記載のネットワーク装置。
（項目３３）
上記リソースエレメントグループに含まれるリソースエレメントの個数が、上記リソースエレメントグループによって占有されるシンボルの個数に正比例するか、又は、
上記リソースエレメントグループに含まれるリソースエレメントの個数が、上記制御チャネルによって占有されるシンボルの個数に正比例する、項目３１又は３２に記載のネットワーク装置。
（項目３４）
上記リソースエレメントグループに含まれる複数のリソースエレメントが、上記制御チャネルによって占有される時間領域リソースのシンボルの一部、又は上記制御チャネルによって占有される時間領域リソースの全てのシンボルに配分される、項目３１から３３のいずれか一項に記載のネットワーク装置。
（項目３５）
上記リソースエレメントグループによって占有される周波数領域リソースが、上記リソースエレメントグループによって占有される全てのシンボルにおいて同じであるか、又は、
上記リソースエレメントグループによって占有される周波数領域リソースが、上記制御チャネルによって占有される全てのシンボルにおいて同じである、項目３１から３４のいずれか一項に記載のネットワーク装置。
（項目３６）
上記処理ユニットは、
１つのリソースブロックに含まれるリソースエレメントグループの個数
【数１２５】
2019525529.tif 000187
を決定することであって、上記リソースブロックは時間領域にｌ個のシンボルを含み、周波数領域に
【数１２６】
2019525529.tif 000188
個のサブキャリアを含み、ｌは１より大きいか又はそれに等しい整数であり、
【数１２７】
2019525529.tif 000189
は、１より大きいか又はそれに等しい整数であり、
【数１２８】
2019525529.tif 000190
は、１より大きいか又はそれに等しい整数である、決定することと、
上記リソースエレメントグループを
【数１２９】
2019525529.tif 000191
に基づいて決定することと
を行うように構成される、項目３１から３５のいずれか一項に記載のネットワーク装置。
（項目３７）
上記処理ユニットは、１つのアンテナポートに対応するリソースエレメントの個数に基づいて、
【数１３０】
2019525529.tif 000192
を決定するように構成され、上記アンテナポートは、上記基準信号に対応する少なくとも１つのアンテナポートのうちの１つであり、上記アンテナポートに対応する上記リソースエレメントは１つのシンボル内にあり、上記１つのシンボルは、上記リソースブロック内にあり且つ上記基準信号を搬送する複数のシンボルのうちの１つである、項目３６に記載のネットワーク装置。
（項目３８）
上記処理ユニットは、
【数１３１】
2019525529.tif 000193
に基づいて、上記リソースエレメントグループに含まれるリソースエレメントの個数を決定するように構成され、上記リソースエレメントグループに含まれる上記リソースエレメントの個数は、
【数１３２】
2019525529.tif 000194
に等しい、項目３６又は３７に記載のネットワーク装置。
（項目３９）
上記リソースエレメントグループに含まれる第１のリソースエレメントの個数が
【数１３３】
2019525529.tif 000195
であり、ここで、
【数１３４】
2019525529.tif 000196
であり、また、
【数１３５】
2019525529.tif 000197
は、上記基準信号に対応するアンテナポートの個数である、項目３８に記載のネットワーク装置。
（項目４０）
上記制御チャネルは１つのシンボルを占有し、１つの制御チャネルエレメントに含まれるリソースエレメントグループの個数が
【数１３６】
2019525529.tif 000198
であるか、又は、
上記制御チャネルはｌ個のシンボルを占有し、１つの制御チャネルエレメントに含まれるリソースエレメントグループの個数が
【数１３７】
2019525529.tif 000199
である、項目３９に記載のネットワーク装置。
（項目４１）
上記基準信号は、上記リソースエレメントグループによって搬送される上記ダウンリンク制御情報を復調するのに用いられ、及び／又は、上記リソースエレメントグループ以外の別のリソースエレメントグループによって搬送されるダウンリンク制御情報を復調するのに用いられ、上記別のリソースエレメントグループは上記制御チャネルに対応している、項目３１に記載のネットワーク装置。
（項目４２）
上記第２のリソースエレメントは、上記リソースエレメントグループによって占有される時間領域リソースの１つのシンボル内にある、項目３１から４１のいずれか一項に記載のネットワーク装置。
（項目４３）
上記１つのシンボルは、上記リソースエレメントグループによって占有される上記時間領域リソース内の上記第１のシンボルである、項目４２に記載のネットワーク装置。
（項目４４）
上記送信ユニットはさらに、システム情報を送信するように構成され、上記システム情報は、上記基準信号に対応するアンテナポートに関する情報又は上記基準信号の密度情報を含む、項目３１から４３のいずれか一項に記載のネットワーク装置。
（項目４５）
上記送信ユニットはさらに、第１のシグナリングを送信するように構成され、
上記第１のシグナリングは、上記リソースエレメントグループによって搬送される上記基準信号のみに基づいて、上記リソースエレメントグループによって搬送される上記ダウンリンク制御情報を復調するよう端末装置に命令するのに用いられるか、又は、
上記第１のシグナリングは、上記リソースエレメントグループによって搬送される上記基準信号と上記リソースエレメントグループ以外の上記別のリソースエレメントグループによって搬送される基準信号とに基づいて、上記リソースエレメントグループによって搬送される上記ダウンリンク制御情報を復調するよう端末装置に命令するのに用いられ、上記別のリソースエレメントグループは上記制御チャネルに対応している、項目３１から４４のいずれか一項に記載のネットワーク装置。
（項目４６）
制御チャネルに対応するリソースエレメントグループを決定するように構成された処理ユニットであって、上記リソースエレメントグループは、ダウンリンク制御情報を搬送するための第１のリソースエレメントと基準信号を搬送するための第２のリソースエレメントとを含み、上記リソースエレメントグループによって搬送される上記ダウンリンク制御情報は、上記基準信号に基づいて復調される、処理ユニットと、
上記ダウンリンク制御情報を上記制御チャネルで受信するように構成された受信ユニットと
を備える、端末装置。
（項目４７）
上記処理ユニットは、上記リソースエレメントグループによって搬送される上記基準信号のみに基づいて、上記リソースエレメントグループによって搬送される上記ダウンリンク制御情報を復調する、項目４６に記載の端末装置。
（項目４８）
上記受信ユニットは、第１のシグナリングを受信するように構成され、
上記処理ユニットは、上記第１のシグナリングに基づいて、上記リソースエレメントグループによって搬送される上記ダウンリンク制御情報を復調する、
項目４６又は４７に記載の端末装置。
（項目４９）
上記リソースエレメントグループに含まれるリソースエレメントの個数が、上記リソースエレメントグループによって占有されるシンボルの個数に正比例するか、又は、
上記リソースエレメントグループに含まれるリソースエレメントの個数が、上記制御チャネルによって占有されるシンボルの個数に正比例する、項目４６から４８のいずれか一項に記載の端末装置。
（項目５０）
上記リソースエレメントグループに含まれる複数のリソースエレメントが、上記制御チャネルによって占有される時間領域リソースのシンボルの一部、又は上記制御チャネルによって占有される時間領域リソースの全てのシンボルに配分される、項目４６から４９のいずれか一項に記載の端末装置。
（項目５１）
上記リソースエレメントグループによって占有される周波数領域リソースが、上記リソースエレメントグループによって占有される全てのシンボルにおいて同じであるか、又は、
上記リソースエレメントグループによって占有される周波数領域リソースが、上記制御チャネルによって占有される全てのシンボルにおいて同じである、項目４６から５０のいずれか一項に記載の端末装置。
（項目５２）
上記処理ユニットは、
１つのリソースブロックに含まれるリソースエレメントグループの個数
【数１３８】
2019525529.tif 000200
を決定することであって、上記リソースブロックは時間領域にｌ個のシンボルを含み、周波数領域に
【数１３９】
2019525529.tif 000201
個のサブキャリアを含み、ｌは１より大きいか又はそれに等しい整数であり、
【数１４０】
2019525529.tif 000202
は、１より大きいか又はそれに等しい整数であり、
【数１４１】
2019525529.tif 000203
は、１より大きいか又はそれに等しい整数である、決定することと、
上記リソースエレメントグループを
【数１４２】
2019525529.tif 000204
に基づいて決定することと
を行うように構成される、項目４６から５１のいずれか一項に記載の端末装置。
（項目５３）
上記処理ユニットは、１つのアンテナポートに対応するリソースエレメントの個数に基づいて、
【数１４３】
2019525529.tif 000205
を決定するように構成され、上記アンテナポートは、上記基準信号に対応する少なくとも１つのアンテナポートのうちの１つであり、上記アンテナポートに対応する上記リソースエレメントは１つのシンボル内にあり、上記１つのシンボルは、上記リソースブロック内にあり且つ上記基準信号を搬送する複数のシンボルのうちの１つである、項目５２に記載の端末装置。
（項目５４）
上記処理ユニットは、
【数１４４】
2019525529.tif 000206
に基づいて、上記リソースエレメントグループに含まれるリソースエレメントの個数を決定するように構成され、上記リソースエレメントグループに含まれる上記リソースエレメントの個数は、
【数１４５】
2019525529.tif 000207
に等しい、項目５２又は５３に記載の端末装置。
（項目５５）
上記リソースエレメントグループに含まれる第１のリソースエレメントの個数が
【数１４６】
2019525529.tif 000208
であり、ここで、
【数１４７】
2019525529.tif 000209
であり、また、
【数１４８】
2019525529.tif 000210
は、上記基準信号に対応するアンテナポートの個数である、項目５４に記載の端末装置。
（項目５６）
上記制御チャネルは１つのシンボルを占有し、１つの制御チャネルエレメントに含まれるリソースエレメントグループの個数が
【数１４９】
2019525529.tif 000211
であるか、又は、
上記制御チャネルはｌ個のシンボルを占有し、１つの制御チャネルエレメントに含まれるリソースエレメントグループの個数が
【数１５０】
2019525529.tif 000212
である、項目５５に記載の端末装置。
（項目５７）
上記処理ユニットは、上記リソースエレメントグループ以外の上記別のリソースエレメントグループによって搬送される基準信号に基づいて、上記リソースエレメントグループによって搬送される上記ダウンリンク制御情報を復調し、上記別のリソースエレメントグループは、上記制御チャネルに対応している、項目４６に記載の端末装置。
（項目５８）
上記第２のリソースエレメントは、上記リソースエレメントグループによって占有される時間領域リソースの１つのシンボル内にある、項目４６から５７のいずれか一項に記載の端末装置。
（項目５９）
上記１つのシンボルは、上記リソースエレメントグループによって占有される上記時間領域リソース内の上記第１のシンボルである、項目５８に記載の端末装置。
（項目６０）
上記受信ユニットはさらに、システム情報を受信するように構成され、上記システム情報は、上記基準信号に対応するアンテナポートに関する情報又は上記基準信号の密度情報を含む、項目４６から５９のいずれか一項に記載の端末装置。
（項目６１）
プロセッサとメモリとを備える装置であって、
上記メモリはコンピュータ命令を格納し、上記プロセッサは上記メモリに格納された上記コンピュータ命令を実行して、上記装置が項目１から３０のいずれか一項に記載の方法を実施することを可能にする、装置。
（項目６２）
コンピュータ記憶媒体であって、コンピュータプログラムが上記コンピュータ記憶媒体に格納され、上記プログラムがプロセッサによって実行された場合、項目１から３０のいずれか一項に記載の方法が実施される、コンピュータ記憶媒体。
（項目６３）
命令を含むコンピュータプログラム製品であって、上記コンピュータプログラム製品がコンピュータで実行された場合、上記コンピュータは項目１から３０のいずれか一項に記載の方法を実行する、コンピュータプログラム製品。
【国際調査報告】
2019525529.tif 000213
2019525529.tif 000214
2019525529.tif 000215
2019525529.tif 000216